(57)【要約】  映像音声データの送信先をＴＶなどの映像音声出力装置から液晶プロジェクタなどの映像出力装置に切り換えたような場合でも、ユーザーの利便性を向上させることができる無線映像音声伝送システムを提供する。  無線映像音声伝送システム（１０）であって、映像出力装置（３００）、無線送信装置（１００）及び音声出力装置（４００）のうちのいずれかの装置が、無線送信装置（１００）から無線信号を受信し映像を出力するように選択された映像音声出力装置（２００）もしくは映像出力装置（３００）が音声を出力可能であるか否かを判断することにより、音声出力装置（４００）の音声モードを決定する。
2010087189.tif 000002
【特許請求の範囲】
【請求項１】
映像及び音声を出力する無線映像音声伝送システムであって、
映像音声データを再生し出力する映像音声再生装置と、
前記映像音声再生装置から前記映像音声データを受信し、前記映像音声データもしくは映像データを出力するとともに、音声モードが音声出力モードであるか音声非出力モードであるかに応じて音声を出力または非出力とする音声出力装置と、
前記音声出力装置または前記映像音声再生装置から前記映像音声データもしくは前記映像データを受信し、前記映像音声データ、前記映像データもしくは音声データを含む無線信号を送信する無線送信装置と、
前記無線送信装置から無線接続により前記無線信号を受信し、前記無線信号に含まれる映像音声データ、映像データもしくは音声データを、それぞれ映像及び音声、映像もしくは音声として出力する映像音声出力装置と、
前記無線送信装置から無線接続により前記無線信号を受信し、前記無線信号に含まれる映像データを映像として出力する映像出力装置とを備え、
前記映像出力装置、前記無線送信装置及び前記音声出力装置のうちのいずれかの装置が、前記無線送信装置から前記無線信号を受信し映像を出力するように選択された前記映像音声出力装置もしくは前記映像出力装置である接続相手装置が音声を出力可能であるか否かを判断することにより、前記音声出力装置の音声モードを決定する
無線映像音声伝送システム。
【請求項２】
前記無線送信装置は、
無線接続された前記接続相手装置から取得した無線接続相手機器情報を基に、前記接続相手装置が音声を出力可能であるか否かを判断し、
前記接続相手装置が音声を出力可能であると判断した場合には、前記音声モードを前回と同じ音声モードと決定し、
前記接続相手装置が音声を出力不能であると判断した場合には、前記音声モードを音声出力モードと決定する
請求項１記載の無線映像音声伝送システム。
【請求項３】
前記無線送信装置は、
さらに、前記音声出力装置が音声を出力可能であるか否かを判断し、
前記音声出力装置が音声を出力不能であると判断した場合で、かつ、前記接続相手装置が音声を出力不能であると判断した場合には、前記映像音声出力装置が音声を出力するように、前記映像音声出力装置に対して、音声データもしくは映像音声データを無線送信する
請求項２記載の無線映像音声伝送システム。
【請求項４】
前記無線送信装置は、さらに、前記接続相手装置の前記無線接続相手機器情報に含まれる装置識別子と、前記音声出力装置から出力される音声の出力条件を設定するための情報である音声設定情報とを関連付けて記憶しており、前記接続相手装置が異なる接続相手装置に変更された場合に、前記音声出力装置に対して、変更された前記接続相手装置に関連付けられた前記音声設定情報を送信し、
前記音声出力装置は、受信した前記音声設定情報に従って、出力する音声の出力条件を設定する
請求項２記載の無線映像音声伝送システム。
【請求項５】
前記音声設定情報は、音量を制御するための音量制御情報または音場を制御するための音場制御情報である
請求項４記載の無線映像音声伝送システム。
【請求項６】
前記音声出力装置は、
前記無線送信装置を経由して無線接続された前記接続相手装置から取得した無線接続相手機器情報を基に、前記接続相手装置が音声を出力可能であるか否かを判断し、
前記接続相手装置が音声を出力可能であると判断した場合には、前記音声モードを前回と同じ音声モードと決定し、
前記接続相手装置が音声を出力不能であると判断した場合には、前記音声モードを音声出力モードと決定する
請求項１記載の無線映像音声伝送システム。
【請求項７】
前記映像出力装置は、
前記接続相手装置として前記映像出力装置自身が選択された場合であって、前記映像出力装置自身が音声を出力不能であると判断した場合、前記無線送信装置から取得した、前記無線送信装置に有線を介して接続されている機器の情報をもとに、前記音声出力装置が音声を出力可能であるか否かを判断し、
前記音声出力装置が音声を出力可能であると判断した場合は、前記音声出力装置の音声モードを音声出力モードと決定し、前記音声出力装置に対して、音声を出力するように指示する
請求項１記載の無線映像音声伝送システム。
【請求項８】
請求項１に記載の無線映像音声伝送システムに備えられる無線送信装置であって、
前記音声出力装置または前記映像音声再生装置から前記映像音声データもしくは前記映像データを受信する有線伝送部と、
前記映像音声データ、前記映像データもしくは音声データを含む無線信号を送信する無線伝送部と、
無線接続された前記接続相手装置から前記無線伝送部を介して取得した無線接続相手機器情報を基に、前記接続相手装置が音声を出力可能であるか否かを判断し、前記接続相手装置が音声を出力可能であると判断した場合には、前記音声モードを前回と同じ音声モードと決定するとともに、前記無線伝送部から前記接続相手装置に対して前記映像音声データを送信し、前記接続相手装置が音声を出力不能であると判断した場合には、前記音声モードを音声出力モードと決定するとともに、前記無線伝送部から前記接続相手装置に対して前記映像データもしくは前記映像音声データを送信する制御部と
を備える無線送信装置。
【請求項９】
前記制御部は、
さらに、前記音声出力装置が音声を出力可能であるか否かを判断し、
前記音声出力装置が音声を出力不能であると判断した場合で、かつ、前記接続相手装置が音声を出力不能であると判断した場合には、前記映像音声出力装置が音声を出力するように、前記映像音声出力装置に対して、音声データもしくは映像音声データを無線送信する
請求項８記載の無線送信装置。
【請求項１０】
前記制御部は、
さらに、前記接続相手装置の前記無線接続相手機器情報に含まれる装置識別子と、前記音声出力装置から出力される音声の出力条件を設定するための情報である音声設定情報とを関連付けて記憶しており、
前記接続相手装置が異なる接続相手装置に変更された場合に、前記音声出力装置が変更された前記接続相手装置に関連付けられた前記音声設定情報に従って出力する音声の出力条件を設定するように、前記音声出力装置に対して、変更された前記接続相手装置に関連付けられた前記音声設定情報を送信する
請求項８記載の無線送信装置。
【請求項１１】
前記音声設定情報は、音量を制御するための音量制御情報または音場を制御するための音場制御情報である
請求項１０記載の無線送信装置。
【請求項１２】
請求項１に記載の無線映像音声伝送システムに備えられる音声出力装置であって、
前記映像音声再生装置から前記映像音声データを受信する第１の有線伝送部と、
前記第１の有線伝送部が受信した前記映像音声データもしくは該映像音声データに含まれる映像データを送信する第２の有線伝送部と、
前記第１の有線伝送部が受信した前記映像音声データに含まれる音声データを再生し、音声モードが音声出力モードであるか音声非出力モードであるかに応じて、再生した音声を出力または非出力とする音声出力部と、
前記無線送信装置を経由して無線接続された前記接続相手装置から取得した無線接続相手機器情報を基に、前記接続相手装置が音声を出力可能であるか否かを判断し、前記接続相手装置が音声を出力可能であると判断した場合には、前記音声モードを前回と同じ音声モードと決定するとともに、第２の有線伝送部を介して前記映像音声データを送信し、前記接続相手装置が音声を出力不能であると判断した場合には、前記音声モードを音声出力モードと決定するとともに、第２の有線伝送部を介して前記映像データもしくは前記映像音声データを送信する制御部と
を備える音声出力装置。
【請求項１３】
前記無線送信装置は、さらに、前記接続相手装置の前記無線接続相手機器情報に含まれる装置識別子と、前記音声出力装置から出力される音声の出力条件を設定するための情報である音声設定情報とを関連付けて記憶しており、前記接続相手装置が異なる接続相手装置に変更された場合に、前記音声出力装置に対して、変更された前記接続相手装置に関連付けられた前記音声設定情報を送信し、
前記制御部は、前記無線送信装置から受信した前記音声設定情報に従って、出力する音声の出力条件を設定する
請求項１２記載の音声出力装置。
【請求項１４】
前記音声設定情報は、音量を制御するための音量制御情報または音場を制御するための音場制御情報である
請求項１３記載の音声出力装置。
【請求項１５】
請求項１に記載の無線映像音声伝送システムに備えられる映像出力装置であって、
前記無線送信装置から無線接続により前記無線信号を受信する無線伝送部と、
前記無線伝送部が受信した前記無線信号に含まれる映像データを映像として出力する映像出力部と、
前記接続相手装置として前記映像出力装置自身が選択された場合であって、前記映像出力装置自身が音声を出力不能であると判断した場合、前記無線送信装置から取得した、前記無線送信装置に有線を介して接続されている機器の情報をもとに、前記音声出力装置が音声を出力可能であるか否かを判断し、前記音声出力装置が音声を出力可能であると判断した場合は、前記音声出力装置の音声モードを音声出力モードと決定し、前記音声出力装置に対して、音声を出力するように指示する制御部と
を備える映像出力装置。
【発明の詳細な説明】
【技術分野】
【０００１】
本発明は、無線信号を用いて映像音声データを送信して再生する無線映像音声伝送システム、及び無線映像音声伝送システムを構成する装置に関するものである。
【背景技術】
【０００２】
近年、ユーザーの大画面での視聴やホームシアターなどの要望に伴い、一般家庭においても、液晶プロジェクタやＤＬＰプロジェクタなどのプロジェクタが映像表示装置として普及しつつあるが、このようなプロジェクタに対して映像音声データを送信する一つの手段として無線伝送が利用されている。【０００３】
無線伝送を利用して映像音声データを伝送する無線映像音声伝送システムに関する従来技術が、特許文献１に開示されている。【０００４】
特許文献１においては、映像および音声を再生する液晶プロジェクタとＤＶＤプレイヤーなどの再生機器とを無線伝送で接続した無線映像音声伝送システムが開示されており、具体的には、再生機器であるＤＶＤプレイヤーに無線アダプタを装着し、同様に無線アダプタを装着した液晶プロジェクタに対して、ＤＶＤプレイヤーから映像音声データを無線送信する無線伝送ホームシアターシステムが開示されている。なお、このシステムにおいては、ＤＶＤプレイヤー側に接続されたスピーカシステムから音声を出力する構成が取られている。
【先行技術文献】
【特許文献】
【０００５】
【特許文献１】特開２００５−２１０４４９号公報
【発明の概要】
【発明が解決しようとする課題】
【０００６】
しかしながら、例えば、ＤＶＤプレイヤーなどの映像音声再生機器から、スピーカシステムを備えたテレビ受像機（以下、ＴＶと称す）などの映像音声出力装置と、スピーカシステムを備えていない液晶プロジェクタなどの映像出力装置に対して映像音声データを送信し、両者を切り換えて視聴するような従来の無線映像音声伝送システムにおいては、ユーザーの利便性が悪くなる場合があるという課題を有していた。【０００７】
つまり、従来の無線映像音声伝送システムにおいては、映像音声再生機器から映像音声データをＴＶに対して送信し、ＴＶから映像音声を出力している状態において、映像音声データの送信先をＴＶから液晶プロジェクタに切り換えた場合、液晶プロジェクタはスピーカシステムを備えていないために音声が出力されず、ユーザーは、別途備えられたスピーカシステムから音声を出力できるように、手動でアンプスピーカシステムの設定を変更しなければならない。これにより、従来の無線映像音声伝送システムにおいては、ユーザーの利便性が悪くなる場合があるという課題を有していた。【０００８】
本発明は、このような課題に鑑みてなされたものであり、映像音声データの送信先をＴＶなどの映像音声出力装置から液晶プロジェクタなどの映像出力装置に切り換えたような場合でも、ユーザーの利便性を向上させることができる無線映像音声伝送システム、無線送信装置、音声出力装置及び映像出力装置を提供することを目的とする。
【課題を解決するための手段】
【０００９】
上記目的を達成するために、本発明の一態様に係る無線映像音声伝送システムは、映像及び音声を出力する無線映像音声伝送システムであって、映像音声データを再生し出力する映像音声再生装置と、前記映像音声再生装置から前記映像音声データを受信し、前記映像音声データもしくは映像データを出力するとともに、音声モードが音声出力モードであるか音声非出力モードであるかに応じて音声を出力または非出力とする音声出力装置と、前記音声出力装置または前記映像音声再生装置から前記映像音声データもしくは前記映像データを受信し、前記映像音声データ、前記映像データもしくは音声データを含む無線信号を送信する無線送信装置と、前記無線送信装置から無線接続により前記無線信号を受信し、前記無線信号に含まれる映像音声データ、映像データもしくは音声データを、それぞれ映像及び音声、映像もしくは音声として出力する映像音声出力装置と、前記無線送信装置から無線接続により前記無線信号を受信し、前記無線信号に含まれる映像データを映像として出力する映像出力装置とを備え、前記映像出力装置、前記無線送信装置及び前記音声出力装置のうちのいずれかの装置が、前記無線送信装置から前記無線信号を受信し映像を出力するように選択された前記映像音声出力装置もしくは前記映像出力装置である接続相手装置が音声を出力可能であるか否かを判断することにより、前記音声出力装置の音声モードを決定する。【００１０】
これによれば、映像出力装置、無線送信装置及び音声出力装置のうちのいずれかの装置が、接続相手装置が音声を出力可能であるか否かを判断することにより、音声出力装置の音声モードを決定する。これにより、接続相手装置が音声を出力可能であるか否かによって、音声を出力させる装置を決定することができる。つまり、映像音声データの送信先をＴＶなどの映像音声出力装置から液晶プロジェクタなどの映像出力装置に切り換えたような場合でも、音声出力の切り換え制御を自動的に行うことができるので、ユーザーの利便性を向上させることができる。【００１１】
また、好ましくは、前記無線送信装置は、無線接続された前記接続相手装置から取得した無線接続相手機器情報を基に、前記接続相手装置が音声を出力可能であるか否かを判断し、前記接続相手装置が音声を出力可能であると判断した場合には、前記音声モードを前回と同じ音声モードと決定し、前記接続相手装置が音声を出力不能であると判断した場合には、前記音声モードを音声出力モードと決定する。【００１２】
これによれば、無線送信装置が、無線接続相手機器情報を基に、接続相手装置が音声を出力可能であるか否かを判断し、接続相手装置が音声を出力不能であると判断した場合には、音声モードを音声出力モードと決定する。このため、無線送信装置が、接続相手装置が音声を出力不能の場合に、音声出力装置から音声を出力させることができる。つまり、映像音声データの送信先をＴＶなどの映像音声出力装置から液晶プロジェクタなどの映像出力装置に切り換えたような場合でも、音声出力の切り換え制御を自動的に行うことができるので、ユーザーの利便性を向上させることができる。【００１３】
また、前記無線送信装置は、さらに、前記音声出力装置が音声を出力可能であるか否かを判断し、前記音声出力装置が音声を出力不能であると判断した場合で、かつ、前記接続相手装置が音声を出力不能であると判断した場合には、前記映像音声出力装置が音声を出力するように、前記映像音声出力装置に対して、音声データもしくは映像音声データを無線送信することにしてもい。【００１４】
これによれば、無線送信装置が、音声出力装置が音声を出力可能であるか否かを判断することで、映像音声出力装置に音声を出力させる。このため、音声出力装置が音声を出力可能であるか否かによって、無線送信装置が、音声出力装置に音声を出力させるか、映像音声出力装置に音声を出力させるかを決定することができる。つまり、映像音声データの送信先をＴＶなどの映像音声出力装置から液晶プロジェクタなどの映像出力装置に切り換えたような場合でも、音声出力の切り換え制御を自動的に行うことができるので、ユーザーの利便性を向上させることができる。【００１５】
また、前記無線送信装置は、さらに、前記接続相手装置の前記無線接続相手機器情報に含まれる装置識別子と、前記音声出力装置から出力される音声の出力条件を設定するための情報である音声設定情報とを関連付けて記憶しており、前記接続相手装置が異なる接続相手装置に変更された場合に、前記音声出力装置に対して、変更された前記接続相手装置に関連付けられた前記音声設定情報を送信し、前記音声出力装置は、受信した前記音声設定情報に従って、出力する音声の出力条件を設定することにしてもよい。また、好ましくは、前記音声設定情報は、音量を制御するための音量制御情報または音場を制御するための音場制御情報である。【００１６】
これによれば、接続相手装置が変更された場合に、音声出力装置から出力される音声の出力条件を設定することができる。つまり、接続相手装置の設置場所が音声出力装置の設置場所と異なる場合でも、接続相手装置が設置されている場所で視聴するのに適した音量や音場などに自動的に設定することができるので、ユーザーの利便性を向上させることができる。【００１７】
また、前記音声出力装置は、前記無線送信装置を経由して無線接続された前記接続相手装置から取得した無線接続相手機器情報を基に、前記接続相手装置が音声を出力可能であるか否かを判断し、前記接続相手装置が音声を出力可能であると判断した場合には、前記音声モードを前回と同じ音声モードと決定し、前記接続相手装置が音声を出力不能であると判断した場合には、前記音声モードを音声出力モードと決定することにしてもよい。【００１８】
これによれば、音声出力装置が、接続相手装置が音声を出力可能であるか否かを判断することで、音声出力装置の音声モードを決定する。つまり、音声出力装置が、接続相手装置が音声を出力不能の場合に、音声出力装置から音声を出力させることができる。このため、映像音声データの送信先をＴＶなどの映像音声出力装置から液晶プロジェクタなどの映像出力装置に切り換えたような場合でも、音声出力の切り換え制御を自動的に行うことができるので、ユーザーの利便性を向上させることができる。【００１９】
また、前記映像出力装置は、前記接続相手装置として前記映像出力装置自身が選択された場合であって、前記映像出力装置自身が音声を出力不能であると判断した場合、前記無線送信装置から取得した、前記無線送信装置に有線を介して接続されている機器の情報をもとに、前記音声出力装置が音声を出力可能であるか否かを判断し、前記音声出力装置が音声を出力可能であると判断した場合は、前記音声出力装置の音声モードを音声出力モードと決定し、前記音声出力装置に対して、音声を出力するように指示することにしてもよい。【００２０】
これによれば、映像出力装置が、接続相手装置である自身が音声を出力不能であるか否か、及び音声出力装置が音声を出力可能であるか否かを判断することで、音声出力装置の音声モードを決定する。つまり、映像出力装置が、接続相手装置である自身が音声を出力不能の場合に、音声出力装置から音声を出力させることができる。また、音声出力装置が音声を出力可能であるか否かによって、映像出力装置が、音声出力装置に音声を出力させるか、映像音声出力装置に音声を出力させるかを決定することができる。このため、映像音声データの送信先をＴＶなどの映像音声出力装置から液晶プロジェクタなどの映像出力装置に切り換えたような場合でも、音声出力の切り換え制御を自動的に行うことができるので、ユーザーの利便性を向上させることができる。【００２１】
なお、本発明は、このような無線映像音声伝送システムとして実現することができるだけでなく、無線映像音声伝送システムが備える無線送信装置、音声出力装置及び映像出力装置としても実現することができる。また、本発明は、無線送信装置、音声出力装置及び映像出力装置が備える各処理部の処理をコンピュータに実行させるプログラムとして実現したり、各処理部の処理を行う集積回路として実現したりすることもできる。そして、そのようなプログラムは、ＣＤ−ＲＯＭ等の記録媒体やインターネット等の伝送媒体を介して配信することができるのは言うまでもない。
【発明の効果】
【００２２】
本発明によれば、映像音声再生装置から出力された映像音声データの送信先である無線接続相手機器が変更された場合においても、音声出力の切り換え制御を自動的に行うことができるので、ユーザーの利便性を高めることができる。
【図面の簡単な説明】
【００２３】
【図１】図１は、本発明の実施の形態１に係る無線映像音声伝送システムの構成の一例を示すブロック図である。
【図２】図２は、本発明の実施の形態１に係る無線送信装置の構成を示すブロック図である。
【図３】図３は、本発明の実施の形態１に係る映像音声出力装置の構成を示すブロック図である。
【図４】図４は、本発明の実施の形態１に係る映像出力装置の構成を示すブロック図である。
【図５】図５は、本発明の実施の形態１に係る音声出力装置の構成を示すブロック図である。
【図６】図６は、本発明の実施の形態１に係る無線映像音声伝送システムにおける無線接続相手機器が映像音声出力装置で、かつ、音声出力モードである場合のデータの流れを示すブロック図である。
【図７】図７は、本発明の実施の形態１に係る無線映像音声伝送システムにおける無線接続相手機器が映像出力装置である場合のデータの流れを示すブロック図である。
【図８】図８は、本発明の実施の形態１に係る無線送信装置における制御部の処理の流れを示すフローチャートである。
【図９】図９は、本発明の実施の形態２に係る無線映像音声伝送システムの構成の一例を示すブロック図である。
【図１０】図１０は、本発明の実施の形態２に係る無線送信装置の制御部における処理の流れを示すフローチャートである。
【図１１】図１１は、本発明の実施の形態３に係る音声出力装置の制御部における処理の流れを示すフローチャートである。
【図１２】図１２は、本発明の実施の形態４に係る無線送信装置の制御部及び音声出力装置の制御部における処理の流れを示すフローチャートである。
【図１３】図１３は、本発明の実施の形態５に係る無線送信装置の制御部及び映像出力装置の制御部における処理の流れを示すフローチャートである。
【発明を実施するための形態】
【００２４】
以下に、本発明を実施するための形態について、図面を参照しながら説明する。
【００２５】
（実施の形態１）
図１を用いて、本発明の実施の形態１に係る無線映像音声伝送システム１０について説明する。なお、図１は、本発明の実施の形態１に係る無線映像音声伝送システム１０の構成の一例を示すブロック図である。また、図１においては、無線送信装置１００からの映像音声データの無線伝送先が、映像出力装置３００ではなく、映像音声出力装置２００である場合の例を挙げている。
【００２６】
図１において、無線映像音声伝送システム１０は、無線送信装置１００と、映像音声出力装置２００と、映像出力装置３００と、音声出力装置４００と、映像音声再生装置５００と、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル６０１と、ＨＤＭＩケーブル６０２とを備えている。
【００２７】
映像音声再生装置５００は、映像音声データを再生し、映像音声データを含む有線信号を出力する装置である。
【００２８】
音声出力装置４００は、無線送信装置１００及び映像音声再生装置５００との間で有線信号を送受信し、映像音声再生装置５００から送信された有線信号に含まれる音声データを音声として出力する装置である。
【００２９】
具体的には、音声出力装置４００は、映像音声再生装置５００から映像音声データを受信し、受信した映像音声データもしくは当該映像音声データに含まれる映像データを出力する。また、音声出力装置４００は、受信した映像音声データに含まれる音声データを再生し、音声モードが音声出力モードであるか音声非出力モードであるかに応じて、再生した音声を出力または非出力とする
無線送信装置１００は、有線信号と無線信号を変換して送受信する装置である。具体的には、無線送信装置１００は、音声出力装置４００または映像音声再生装置５００から映像音声データもしくは映像データを受信し、映像音声データ、映像データもしくは音声データを含む無線信号を送信する。
【００３０】
映像音声出力装置２００は、無線送信装置１００との間で無線接続により無線信号を送受信し、無線送信装置１００から受信した無線信号に含まれる映像音声データ、映像データもしくは音声データを処理して、それぞれ映像及び音声、映像もしくは音声として出力する装置である。
【００３１】
映像出力装置３００は、無線送信装置１００との間で無線接続により無線信号を送受信し、無線送信装置１００から受信した無線信号に含まれる映像データを処理して映像として出力する装置である。
【００３２】
ここで、実施の形態１では、無線送信装置１００は、無線送信装置１００から無線信号を受信し映像を出力するように選択された映像音声出力装置２００もしくは映像出力装置３００である接続相手装置が音声を出力可能であるか否かを判断することにより、音声出力装置４００の音声モードを決定する。
【００３３】
ＨＤＭＩケーブル６０１を介しては、映像音声再生装置５００から音声出力装置４００に対して映像音声データＡＶ１１が送信されるとともに、映像音声再生装置５００と音声出力装置４００との間で有線制御データＳ１１が互いに送受信される。
【００３４】
また、ＨＤＭＩケーブル６０２を介しては、音声出力装置４００から無線送信装置１００に対して映像音声データＡＶ１２が送信されるとともに、音声出力装置４００と無線送信装置１００との間で有線制御データＳ１２が互いに送受信される。
【００３５】
また、無線送信装置１００と映像音声出力装置２００との間で送受信される無線信号Ｍ１１には、無線送信装置１００から映像音声出力装置２００に送信される映像音声データＡＶ１３と、無線送信装置１００と映像音声出力装置２００との間で互いに送受信される無線制御データＣ１１が含まれる。ここで、無線送信装置１００から映像音声出力装置２００への映像音声データＡＶ１３の無線伝送は、時間分割多重もしくは周波数分割多重を用いて伝送される。
【００３６】
なお、具体的には、映像音声再生装置５００は、ＤＶＤレコーダー、ＤＶＤプレイヤー及びセットトップボックスなどの映像音声データを出力する装置である。また、映像音声出力装置２００は、ＴＶなどの映像及び音声をディスプレイやスピーカに出力する装置である。また、映像出力装置３００は、モニターやプロジェクタなどのスピーカシステムを備えない映像のみを出力する装置である。また、音声出力装置４００は、音声をスピーカシステムなどに出力する装置である。
【００３７】
次に、図２を用いて、本発明の実施の形態１に係る無線送信装置１００の構成について説明する。なお、図２は、本発明の実施の形態１に係る無線送信装置１００の構成を示すブロック図である。
【００３８】
図２において、無線送信装置１００は、ＨＤＭＩ規格で規定された信号を伝送する有線伝送部１０１と、有線伝送部１０１及び後述する無線伝送部１０３の制御を行う制御部１０２と、無線電波の送受信及び変復調などの無線伝送処理及びアクセス制御を行う無線伝送部１０３とを備えている。
【００３９】
有線伝送部１０１は、音声出力装置４００からＨＤＭＩケーブル６０２を介して映像音声データＡＶ１２を受信し、受信して処理した映像音声データＡＶ２１を無線伝送部１０３に送信する。無線伝送部１０３は、有線伝送部１０１から受信した映像音声データＡＶ２１を処理し、無線信号として映像音声出力装置２００に対して送信する。
【００４０】
制御部１０２は、有線伝送部１０１との間で、有線制御データＳ２１を用いて通信を行い、有線伝送部１０１に対して状態確認や制御を実施するとともに、無線伝送部１０３との間で無線制御データＣ２１を用いて通信を行い、無線伝送部１０３に対して状態確認や制御を実施する。
【００４１】
無線伝送部１０３は、アンテナ、高周波回路及びベースバンド処理回路などを含むが、どのような無線伝送方式を用いてもよく、例えば、ミリ波帯の電波を用いた無線伝送方式を利用してもよいし、無線周波数帯域もしくは時間を予約し、予約した無線周波数帯域もしくは時間内に映像音声データを送受信する媒体アクセス制御を行うようにしてもかまわない。しかし、ここではその詳細な説明は省略する。
【００４２】
次に、図３を用いて、本発明の実施の形態１に係る映像音声出力装置２００の構成について説明する。なお、図３は、本発明の実施の形態１に係る映像音声出力装置２００の構成を示すブロック図である。
【００４３】
図３において、映像音声出力装置２００は、無線電波の送受信及び変復調などの無線伝送処理及びアクセス制御を行う無線伝送部２０１と、無線伝送部２０１の制御を行う制御部２０２と、無線伝送部２０１から映像データを受信し処理して映像を出力する映像出力部２０３と、無線伝送部２０１から音声データを受信し処理して音声を出力する音声出力部２０４とを備えている。
【００４４】
無線伝送部２０１は、無線送信装置１００から無線伝送を利用して送信された映像音声データＡＶ１３を受信して処理し、映像音声データＡＶ１３に含まれる映像データＶ３１を映像出力部２０３に、音声データＡ３１を音声出力部２０４にそれぞれ送信する。
【００４５】
映像出力部２０３は、無線伝送部２０１から映像データＶ３１を受信し処理して映像を出力し、音声出力部２０４は、無線伝送部２０１から音声データＡ３１を受信し処理して音声を出力する。
【００４６】
制御部２０２は、無線伝送部２０１との間で無線制御データＣ３１を用いて通信を行い、無線伝送部２０１に対して状態確認や制御を実施する。
【００４７】
無線伝送部２０１は、アンテナ、高周波回路及びベースバンド処理回路などを含むが、どのような無線伝送方式を用いてもよく、例えば、ミリ波帯の電波を用いた無線伝送方式を利用してもよいし、無線周波数帯域もしくは時間を予約し、予約した無線周波数帯域もしくは時間内に映像音声データを送受信する媒体アクセス制御を行うようにしてもかまわない。しかし、ここではその詳細な説明は省略する。
【００４８】
次に、図４を用いて、本発明の実施の形態１に係る映像出力装置３００の構成について説明する。なお、図４は、本発明の実施の形態１に係る映像出力装置３００の構成を示すブロック図である。
【００４９】
図４において、映像出力装置３００は、無線電波の送受信及び変復調などの無線伝送処理及びアクセス制御を行う無線伝送部３０１と、無線伝送部３０１の制御を行う制御部３０２と、無線伝送部３０１から映像データＶ４１を受信し処理して映像を出力する映像出力部３０３とを備えている。
【００５０】
無線伝送部３０１は、無線送信装置１００から無線伝送を利用して送信された映像音声データＡＶ１３を受信して処理し、映像音声データＡＶ１３に含まれる映像データＶ４１を映像出力部３０３に送信する。映像出力部３０３は、無線伝送部３０１から映像データＶ４１を受信し処理して映像を出力する。制御部３０２は、無線伝送部３０１との間で無線制御データＣ４１を用いて通信を行い、無線伝送部３０１に対して状態確認や制御を実施する。
【００５１】
無線伝送部３０１は、アンテナ、高周波回路及びベースバンド処理回路などを含むが、どのような無線伝送方式を用いてもよく、例えば、ミリ波帯の電波を用いた無線伝送方式を利用してもよいし、無線周波数帯域もしくは時間を予約し、予約した無線周波数帯域もしくは時間内に映像音声データを送受信する媒体アクセス制御を行うようにしてもかまわない。しかし、ここではその詳細な説明は省略する。
【００５２】
次に、図５を用いて、本発明の実施の形態１に係る音声出力装置４００の構成について説明する。なお、図５は、本発明の実施の形態１に係る音声出力装置４００の構成を示すブロック図である。
【００５３】
図５において、音声出力装置４００は、ＨＤＭＩ規格で規定された信号を伝送する第１の有線伝送部４０１及び第２の有線伝送部４０３と、第１の有線伝送部４０１及び第２の有線伝送部４０３の制御を行う制御部４０２と、第１の有線伝送部４０１から音声データＡ５１を受信し処理して音声を出力する音声出力部４０４を備えている。
【００５４】
第１の有線伝送部４０１は、ＨＤＭＩケーブル６０１を介して映像音声再生装置５００から送信された映像音声データＡＶ１１を受信し処理して、映像音声データＡＶ５１を第２の有線伝送部４０３に、音声データＡ５１を音声出力部４０４に、それぞれＨＤＭＩ規格で規定された信号として送信する。
【００５５】
第２の有線伝送部４０３は、第１の有線伝送部４０１から映像音声データＡＶ５１を受信して処理し、ＨＤＭＩケーブル６０２を介して無線送信装置１００に対して、映像音声データＡＶ１２をＨＤＭＩ規格で規定された信号として送信する。音声出力部４０４は、第１の有線伝送部４０１から音声データＡ５１を受信して処理し、音声を出力する。
【００５６】
制御部４０２は、第１の有線伝送部４０１との間で第１の有線制御データＳ５１を用いて通信を行い、第１の有線伝送部４０１に対して状態確認や制御を実施する。また、制御部４０２は、第２の有線伝送部４０３との間で第２の有線制御データＳ５２を用いて通信を行い、第２の有線伝送部４０３に対して状態確認や制御を実施する。また、制御部４０２は、音声出力部４０４との間で音声制御データＲ５１を用いて通信を行い、音声出力部４０４に対して状態確認や音量制御、音場制御及びミュートなどの制御を実施する。
【００５７】
次に、図１〜図８、特に図６〜図８を参照しながら、本発明の実施の形態１に係る無線映像音声伝送システム１０における処理の流れについて説明する。
【００５８】
なお、図６は、本発明の実施の形態１に係る無線映像音声伝送システム１０における無線接続相手機器が映像音声出力装置２００で、かつ、音声出力モードである場合のデータの流れを示すブロック図である。また、図７は、本発明の実施の形態１に係る無線映像音声伝送システム１０における無線接続相手機器が映像出力装置３００である場合のデータの流れを示すブロック図である。また、図８は、本発明の実施の形態１に係る無線送信装置１００における制御部１０２の処理の流れを示すフローチャートである。
【００５９】
図８において、まず、図６に示す映像音声出力装置２００から無線制御データＣ６１として、または、図７に示す映像出力装置３００から無線制御データＣ７１として、無線接続相手機器情報が無線伝送部１０３を介して制御部１０２に入力される（Ｓ８０１）。
【００６０】
ここで、無線接続相手機器は、無線送信装置１００から無線信号を受信し映像を出力するように選択された映像音声出力装置２００もしくは映像出力装置３００である。また、無線接続相手機器情報とは、無線接続相手機器に関する情報である。具体的には、無線接続相手機器情報には、無線接続相手機器の機器種別、映像出力部の有無及び音声出力部の有無などの情報が含まれる。なお、無線接続相手機器は、請求の範囲に記載の「接続相手装置」に相当する。
【００６１】
続いて、制御部１０２は、入力された無線接続相手機器情報を参照し、無線接続相手機器が音声出力部を具備しているか否かを判断する（Ｓ８０２）。判断する方法としては、例えば、無線接続相手機器情報における機器種別がＡＶアンプなどのように音声出力が可能な機器である場合は、制御部１０２は、無線接続相手機器が音声出力部を具備していると判断する。または、制御部１０２は、無線接続相手機器情報における音声出力部の有無を示す情報を参照して判断する。
【００６２】
制御部１０２は、ステップＳ８０２において、無線接続相手機器が音声出力部を具備していると判断した場合（ステップＳ８０２においてＹＥＳの場合）は、音声出力装置４００の現在の音声モードが前回の音声モード（今回の無線接続相手機器に切り換えられる前の音声モード）と同じであるか否かを判断する（Ｓ８０３）。
【００６３】
なお、音声モードには、音声出力モードと音声非出力モードの２つのモードがある。そして、音声出力モードにおいては、音声は音声出力装置４００の音声出力部４０４から出力される。また、音声非出力モードにおいては、音声は音声出力装置４００の音声出力部４０４からは出力されず、第２の有線伝送部４０３から映像データとともに映像音声データとして音声データが出力される。
【００６４】
制御部１０２は、ステップＳ８０３において、音声出力装置４００の現在の音声モードが前回の音声モードと同じであると判断した場合（ステップＳ８０３においてＹＥＳの場合）、処理を終了する。
【００６５】
一方、制御部１０２は、ステップＳ８０３において、音声出力装置４００の現在の音声モードが前回の音声モードと異なると判断した場合（ステップＳ８０３においてＮＯの場合）、有線伝送部１０１から音声出力装置４００に対して、前回の音声モードと同じ音声モードに移行することを指示するための制御データを送信する（Ｓ８０４）。
【００６６】
また、制御部１０２は、ステップＳ８０２において、無線接続相手機器が音声出力部を具備していないと判断した場合（ステップＳ８０２においてＮＯの場合）は、音声出力装置４００の現在の音声モードが音声出力モードであるか否かを判断する（Ｓ８０５）。
【００６７】
ステップＳ８０５において、音声出力装置４００の現在の音声モードが音声出力モードであると判断された場合（ステップＳ８０５においてＹＥＳの場合）、制御部１０２は処理を終了する。また、音声出力装置４００の現在の音声モードが音声出力モードでないと判断された場合（ステップＳ８０５においてＮＯの場合）、制御部１０２は、有線伝送部１０１から音声出力装置４００に対して、音声出力モードに移行することを指示するための制御データを送信し（Ｓ８０６）、処理を終了させる。
【００６８】
音声出力装置４００は、無線送信装置１００から、音声非出力モードに移行することを指示する制御データを受信した場合には、第２の有線伝送部４０３から無線送信装置１００に対して、映像データとともに映像音声データＡＶ５１として音声データを送信する。また、音声出力装置４００は、無線送信装置１００から、音声出力モードに移行することを指示する制御データを受信した場合には、音声データを再生し、再生した音声を音声出力部４０４から出力する。
【００６９】
以上のように、制御部１０２は、無線接続された無線接続相手機器から取得した無線接続相手機器情報を基に、無線接続相手機器が音声を出力可能であるか否かを判断し、無線接続相手機器が音声を出力可能であると判断した場合には、音声モードを前回と同じ音声モードと決定するとともに、無線伝送部１０３から無線接続相手機器に対して映像音声データを送信する。また、制御部１０２は、無線接続相手機器が音声を出力不能であると判断した場合には、音声モードを音声出力モードと決定するとともに、無線伝送部１０３から無線接続相手機器に対して映像データもしくは映像音声データを送信する。
【００７０】
上述したように、図１においては、無線接続相手機器が映像音声出力装置２００で、かつ、音声出力装置４００が音声非出力モードである場合の映像音声データＡＶ１１、映像音声データＡＶ１２及び映像音声データＡＶ１３の流れを示している。この場合、音声は、音声出力装置４００の音声出力部４０４からは出力されず、無線接続相手機器である映像音声出力装置２００から出力される。
【００７１】
また、図６においては、無線接続相手機器が映像音声出力装置２００で、かつ、音声出力装置４００が音声出力モードである場合の映像音声データＡＶ１１、映像データＶ６１及び映像データＶ６２の流れを示している。この場合、音声は、無線接続相手機器である映像音声出力装置２００から出力されず、音声出力装置４００の音声出力部４０４から出力される。
【００７２】
また、図７においては、無線接続相手機器が映像出力装置３００である場合の映像音声データＡＶ１１、映像データＶ７１及び映像データＶ７２の流れを示している。この場合は、自動的に音声出力モードに移行し、音声は音声出力装置４００の音声出力部４０４から出力される。
【００７３】
以上のように、無線接続相手機器が映像音声出力装置２００（例えば、ＴＶ）から映像出力装置３００（例えば、液晶プロジェクタ）に切り換えられた場合でも、すなわち、映像音声データの送信先が映像音声出力装置２００から映像出力装置３００に切り換えられた場合でも、音声の出力を、映像音声出力装置２００からスピーカシステムを備えた音声出力装置４００に自動的に切り換えることができるので、ユーザーの利便性を向上させることができる。
【００７４】
（実施の形態２）
図９を用いて、本発明の実施の形態２に係る無線映像音声伝送システム２０について説明する。なお、図９は、本発明の実施の形態２に係る無線映像音声伝送システム２０の構成の一例を示すブロック図である。また、本発明の実施の形態２は、無線送信装置１００が、音声出力装置４００が接続されているか（図１に示すように無線映像音声伝送システムの中に存在しているか）否かを判断する機能を備えている場合の実施の形態を示すものである。
【００７５】
図９において、無線映像音声伝送システム２０は、無線送信装置１００と、映像音声出力装置２００と、映像出力装置３００と、映像音声再生装置５００と、ＨＤＭＩケーブル６０１とを備えている。つまり、本実施の形態２に係る無線映像音声伝送システム２０は、実施の形態１に係る無線映像音声伝送システム１０から音声出力装置４００とＨＤＭＩケーブル６０２とを除いたシステムである。なお、図１に示す本発明の実施の形態１に係る無線映像音声伝送システム１０における構成要素と同様の構成要素については、同じ符号を付して詳細な説明は省略する。
【００７６】
ここで、映像音声再生装置５００は、例えば、ＤＶＤレコーダー、ＤＶＤプレイヤー及びセットトップボックスなどの映像音声データを出力する装置であり、映像音声出力装置２００は、例えば、ＴＶなどの映像及び音声をディスプレイ及びスピーカシステムに出力する装置であり、映像出力装置３００は、テレビモニターや液晶プロジェクタなどのスピーカシステムを備えず映像のみを出力する装置である。
【００７７】
ＨＤＭＩケーブル６０１により、映像音声再生装置５００から無線送信装置１００に対して映像音声データＡＶ９１が伝送されるとともに、映像音声再生装置５００と無線送信装置１００との間で有線制御データＳ９１が相互に伝送される。
【００７８】
無線送信装置１００と映像音声出力装置２００との間で送受信される無線信号Ｍ９１は、音声データＡ９１及び無線制御データＣ９１で構成される。また、無線送信装置１００と映像出力装置３００との間で送受信される無線信号Ｍ９２は、映像データＶ９１及び無線制御データＣ９２で構成される。
【００７９】
無線送信装置１００と映像音声出力装置２００、及び無線送信装置１００と映像出力装置３００は、共に無線によって接続され、無線送信装置１００から映像音声出力装置２００への音声データＡ９１の伝送、及び無線送信装置１００から映像出力装置３００への映像データＶ９１の伝送は、共に時間分割多重もしくは周波数分割多重を用いて伝送される。
【００８０】
また、無線送信装置１００の制御部１０２は、実施の形態１に係る無線映像音声伝送システム１０での制御部１０２が有する機能に加え、無線映像音声伝送システム内に音声出力装置４００が接続されているか否かを判断する機能を備えている。
【００８１】
次に、図１０を用いて、本発明の実施の形態２に係る無線送信装置１００の制御部１０２における処理の流れについて説明する。なお、図１０は、本発明の実施の形態２に係る無線送信装置１００の制御部１０２における処理の流れを示すフローチャートである。
【００８２】
また、図９に示す無線映像音声伝送システム２０においては、無線送信装置１００と映像音声再生装置５００との間に音声出力装置４００が接続されていない場合の例を示しているが、ここでは、無線映像音声伝送システムにおいて、図１に示すように音声出力装置４００が具備されている（接続されている）場合と、図９に示すように音声出力装置４００が具備されていない（接続されていない）場合の両方における処理の流れについて説明する。
【００８３】
図１０において、まず、無線送信装置１００が映像音声出力装置２００または映像出力装置３００と無線接続されると、無線伝送部１０３から無線接続相手機器情報が制御部１０２に入力される（Ｓ１００１）。無線接続相手機器情報には、無線接続相手機器の機器種別、映像出力部の有無、音声出力部の有無などの情報が含まれている。
【００８４】
続いて、制御部１０２は、無線伝送部１０３から入力された無線接続相手機器情報を参照し、無線接続相手機器が音声出力部を具備しているか否かを判断する（Ｓ１００２）。判断の方法としては、例えば、無線接続相手機器情報における機器種別が、ＡＶアンプなどの音声出力が可能な機器である場合は、制御部１０２は、無線接続相手機器が音声出力部を具備していると判断する。または、制御部１０２は、無線接続相手機器情報における音声出力部の有無を示す情報を参照して判断する。
【００８５】
ステップＳ１００２において、無線接続相手機器が音声出力部を具備していると判断された場合（ステップＳ１００２においてＹＥＳの場合）は、制御部１０２は、音声出力装置４００の現在の音声モードが前回の音声モード（今回の無線接続相手機器に切り換えられる前の音声モード）と同じか否かを判断する（Ｓ１００３）。
【００８６】
なお、音声モードには、音声出力モードと音声非出力モードの２つのモードがある。そして、音声は、音声出力モードにおいては、音声出力装置４００の音声出力部４０４から出力される。また、音声非出力モードにおいては、音声出力装置４００の音声出力部４０４からは音声は出力されず、音声出力装置４００の第２の有線伝送部４０３から、映像データとともに映像音声データＡＶ９２（図示せず）として音声データが出力される。
【００８７】
ステップＳ１００３において、制御部１０２は、音声出力装置４００の現在の音声モードが前回の音声モードと同じであると判断された場合（ステップＳ１００３においてＹＥＳの場合）は処理を終了する。
【００８８】
また、制御部１０２は、音声出力装置４００の現在の音声モードが前回の音声モードと異なると判断された場合（ステップＳ１００３においてＮＯの場合）は、有線伝送部１０１から音声出力装置４００に対し、前回の音声モードと同じ音声モードに移行することを指示するための制御データを、ＨＤＭＩケーブル６０２を介して送信する（Ｓ１００４）。
【００８９】
なお、制御部１０２は、音声出力装置４００が接続されている（無線映像音声伝送システムの中に音声出力装置４００が存在する）か否かを判断し、接続されていないと判断した場合には、音声モードの判断（Ｓ１００３）と音声モードの移行指示（Ｓ１００４）とを行わないようにしてもよい。
【００９０】
また、ステップＳ１００２において、無線接続相手機器が音声出力部を具備していないと判断された場合（ステップＳ１００２においてＮＯの場合）は、制御部１０２は、音声出力装置４００が接続されているか（無線映像音声伝送システムの中に存在するか）否かを判断する（Ｓ１００５）。
【００９１】
ステップＳ１００５において、音声出力装置４００が接続されていないと判断された場合（ステップＳ１００５においてＮＯの場合）は、制御部１０２は、無線伝送部１０３を介して映像音声出力装置２００に対して音声データＡ９１を出力して（Ｓ１００８）処理を終了する。
【００９２】
以上のように、制御部１０２は、音声出力装置４００が音声を出力可能であるか否かを判断し、音声出力装置４００が音声を出力不能であると判断した場合で、かつ、接続相手装置が音声を出力不能であると判断した場合には、映像音声出力装置２００が音声を出力するように、映像音声出力装置２００に対して、音声データもしくは映像音声データを無線送信する。
【００９３】
また、音声出力装置４００が接続されていると判断された場合（ステップＳ１００５においてＹＥＳの場合）は、制御部１０２は、音声出力装置４００の現在の音声モードが音声出力モードであるか否かを判断する（Ｓ１００６）。
【００９４】
ステップＳ１００６において、制御部１０２は、音声出力装置４００の現在の音声モードが音声出力モードであると判断された場合（ステップＳ１００６においてＹＥＳの場合）は処理を終了させる。
【００９５】
また、制御部１０２は、現在の音声モードが音声出力モードでないと判断された場合（ステップＳ１００６においてＮＯの場合）は、有線伝送部１０１から音声出力装置４００に対して、音声出力モードに移行することを指示するための制御データを、ＨＤＭＩケーブル６０２を介して送信する。
【００９６】
音声出力装置４００は、無線送信装置１００から、音声非出力モードに移行することを指示する制御データを受信した場合には、第２の有線伝送部４０３から無線送信装置１００に対して音声データを出力する。また、音声出力装置４００は、無線送信装置１００から、音声出力モードに移行することを指示する制御データを受信した場合には、音声出力部４０４から再生した音声を出力する。
【００９７】
図９においては、無線接続相手機器が映像出力装置３００であり、音声出力装置４００が接続されていない場合の映像音声データＡＶ９１、映像データＶ９１及び音声データＡ９１の流れを示している。この場合は、映像音声出力装置２００の音声出力部２０４から音声が出力される。
【００９８】
なお、無線信号Ｍ９１は、音声データＡ９１及び無線制御データＣ９１で構成されるとしたが、映像音声データＡＶ９１（図示せず）及び無線制御データＣ９１で構成されてもよい。また、無線信号Ｍ９２は、映像データＶ９１及び無線制御データＣ９２で構成されるとしたが、映像音声データＡＶ９１及び無線制御データＣ９２で構成されてもよい。
【００９９】
以上のように、無線接続相手機器が映像音声出力装置２００（例えば、ＴＶ）から映像出力装置３００（例えば、液晶プロジェクタ）に切り換えられた場合でも、すなわち、映像音声データの送信先が映像音声出力装置２００から映像出力装置３００に切り換えた場合でも、音声の出力を、映像音声出力装置２００からスピーカシステムを備えた音声出力装置４００に自動的に切り換えることができるので、ユーザーの利便性を向上させることができる。さらに、無線映像音声伝送システムにおいて、音声出力装置４００が具備されていない（接続されていない）場合であっても、スピーカシステムを備えた映像音声出力装置２００から自動的に音声を出力させることができるので、ユーザーの利便性をさらに向上させることができる。
【０１００】
（実施の形態３）
図１１を用いて、本発明の実施の形態３に係る音声出力装置４００の制御部４０２における処理の流れについて説明する。なお、図１１は、本発明の実施の形態３に係る音声出力装置４００の制御部４０２における処理の流れを示すフローチャートである。また、本発明の実施の形態３に係る無線映像音声伝送システムの構成は、図１に示す無線映像音声伝送システム１０の構成と同様であり、各構成要素の符号は、図１と同一の符号を付すものとする。
【０１０１】
本発明の実施の形態３に係る音声出力装置４００における制御部４０２は、本発明の実施の形態１に係る無線送信装置１００にける制御部１０２に代わって、無線映像音声伝送システムにおける本発明の制御に関する主たる機能を備える場合の実施の形態を示すものである。
【０１０２】
図１１において、まず、無線送信装置１００と、映像音声出力装置２００または映像出力装置３００とが無線接続されると、無線送信装置１００から第２の有線伝送部４０３を経由して、映像音声出力装置２００または映像出力装置３００から送信された無線接続相手機器情報が制御部４０２に入力される（Ｓ１１０１）。なお、無線接続相手機器情報には、無線接続相手機器のＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報や機器種別、映像出力部の有無、及び音声出力部の有無などの情報が含まれる。
【０１０３】
そして、制御部４０２は、無線送信装置１００から第２の有線伝送部４０３を経由して入力された無線接続相手機器情報を参照し、無線接続相手機器が音声出力部を具備しているか否かを判断する（Ｓ１１０２）。ここで、制御部４０２は、ＥＤＩＤ情報を受信した場合は、ＥＤＩＤ情報に含まれるサポート音声フォーマットがなければ、音声出力部を具備していないものと判断し、サポート音声フォーマットがあれば、音声出力部を具備しているものと判断する。
【０１０４】
ステップＳ１１０２において、無線接続相手機器が音声出力部を具備していると判断された場合（ステップＳ１１０２においてＹＥＳの場合）は、制御部４０２は、音声出力装置４００の現在の音声モードが前回の音声モード（今回の無線接続相手機器に切り換えられる前の音声モード）と同じか否かを判断する（Ｓ１１０３）。
【０１０５】
なお、音声モードには、音声出力モードと音声非出力モードの２つのモードがある。そして、音声出力モードにおいては、音声出力装置４００の音声出力部４０４から再生した音声が出力される。また、音声非出力モードにおいては、音声出力装置４００の音声出力部４０４からは音声は出力されず、第２の有線伝送部４０３から無線送信装置１００に対して、映像データとともに映像音声データＡＶ１２として音声データが出力される。
【０１０６】
制御部４０２は、ステップＳ１１０３において、音声出力装置４００の現在の音声モードが前回の音声モードと同じであると判断された場合（ステップＳ１１０３においてＹＥＳの場合）は処理を終了させる。
【０１０７】
制御部４０２は、音声出力装置４００の現在の音声モードが前回の音声モードと異なると判断された場合（ステップＳ１１０３においてＮＯの場合）は、前回の音声モードと同じ音声モードに移行させる（Ｓ１１０４）。
【０１０８】
また、制御部４０２は、ステップＳ１１０２において、無線接続相手機器が音声出力部を具備していないと判断した場合（ステップＳ１１０２においてＮＯの場合）は、音声出力装置４００の現在の音声モードが音声出力モードであるか否かを判断する（Ｓ１１０５）。
【０１０９】
制御部４０２は、ステップＳ１１０５において、音声出力装置４００の現在の音声モードが音声出力モードであると判断された場合（ステップＳ１１０５においてＹＥＳの場合）は処理を終了させる。
【０１１０】
制御部４０２は、音声出力装置４００の現在の音声モードが音声出力モードでないと判断された場合（ステップＳ１１０５においてＮＯの場合）は、音声出力モードに移行させ（Ｓ１１０６）、処理を終了させる。
【０１１１】
このように、音声出力装置４００の制御部４０２は、無線送信装置１００を経由して無線接続された無線接続相手機器から取得した無線接続相手機器情報を基に、無線接続相手機器が音声を出力可能であるか否かを判断し、無線接続相手機器が音声を出力可能であると判断した場合には、音声モードを前回と同じ音声モードと決定し、無線接続相手機器が音声を出力不能であると判断した場合には、音声モードを音声出力モードと決定する。
【０１１２】
以上のように、無線接続相手機器が映像音声出力装置２００（例えば、ＴＶ）から映像出力装置３００（例えば、液晶プロジェクタ）に切り換えられた場合でも、すなわち、映像音声データの送信先が映像音声出力装置２００から映像出力装置３００に切り換えられた場合でも、音声の出力を、映像音声出力装置２００からスピーカシステムを備えた音声出力装置４００に自動的に切り換えることができるので、ユーザーの利便性を向上させることができる。
【０１１３】
（実施の形態４）
図１２を用いて、本発明の実施の形態４に係る無線送信装置１００の制御部１０２、及び音声出力装置４００の制御部４０２における処理の流れについて説明する。なお、図１２は、本発明の実施の形態４に係る無線送信装置１００の制御部１０２及び音声出力装置４００の制御部４０２における処理の流れを示すフローチャートである。また、本発明の実施の形態４に係る無線映像音声伝送システムの構成は、図１に示す無線映像音声伝送システム１０の構成と同様であり、各構成要素の符号は、図１と同一の符号を付すものとする。
【０１１４】
まず、制御部１０２は、無線接続相手機器の変更を決定し（Ｓ１２０１）、変更先の無線接続相手機器の識別子に関連付けられた音声設定情報を、音声出力装置４００に対して、有線伝送部１０１からＨＤＭＩケーブル６０２を介して送信する（Ｓ１２０２）。なお、無線接続相手機器の識別子は、無線接続相手機器情報に含まれる。また、音声設定情報とは、音声出力部４０４から出力される音声の出力条件を設定するための情報である。
【０１１５】
音声出力装置４００の制御部４０２は、無線送信装置１００から送信された音声設定情報を、第２の有線伝送部４０３を介して受信する（Ｓ１２０３）。その後、制御部４０２は、無線送信装置１００から受信した音声設定情報に従い、音声制御データＲ５１を用いて、音声出力部４０４から出力する音声の出力条件を設定して（Ｓ１２０４）処理を終了させる。
【０１１６】
以上のように、無線送信装置１００の制御部１０２は、無線接続相手機器の無線接続相手機器情報に含まれる機器の識別子と、音声出力装置４００から出力される音声の出力条件を設定するための情報である音声設定情報とを関連付けて記憶しており、無線接続相手機器が異なる無線接続相手機器に変更された場合に、音声出力装置４００に対して、変更された無線接続相手機器に関連付けられた音声設定情報を送信する。そして、音声出力装置４００の制御部４０２は、受信した音声設定情報に従って、出力する音声の出力条件を設定する。
【０１１７】
音声の出力条件の設定については、例えば、無線接続相手機器の設置場所が音声出力装置４００の設置場所と異なる場合、音声設定情報として音声出力装置４００の音場を制御する情報を用いて、無線接続相手機器が設置されている場所で視聴するのに適した音場に設定したり、音声設定情報として音声出力装置４００の音量を制御する情報を用いて、無線接続相手機器が設置されている場所で視聴するのに適した音量に変更する、ことなどが考えられる。
【０１１８】
また、無線接続相手機器情報に含まれる無線接続相手機器の識別子と音声設定情報の関連付けについては、無線送信装置１００が無線接続相手機器と接続して無線接続相手機器情報を取得し、ユーザーが、無線送信装置１００において音声設定情報設定部（図示せず）を用いて音声設定情報を設定したときに、制御部１０２が、無線接続相手機器の識別子と音声設定情報を関連付けてメモリ（図示せず）に記憶させる。
【０１１９】
以上のように、無線接続相手機器の識別子と音声設定情報を関連付けて記憶することにより、無線接続相手機器の設置場所が音声出力装置の設置場所と異なる場合でも、無線接続相手機器が設置されている場所で視聴するのに適した音量や音場などに自動的に設定することが可能となる。
【０１２０】
（実施の形態５）
図１３を用いて、本発明の実施の形態５に係る無線送信装置１００の制御部１０２、及び映像出力装置３００の制御部３０２における処理の流れについて説明する。なお、図１３は、本発明の実施の形態５に係る無線送信装置１００の制御部１０２及び映像出力装置３００の制御部３０２における処理の流れを示すフローチャートである。また、本発明の実施の形態５に係る無線映像音声伝送システムの構成は、図７に示す無線映像音声伝送システム１０の構成と同様であり、各構成要素の符号は、図７と同一の符号を付すものとする。
【０１２１】
まず、映像出力装置３００の制御部３０２は、無線送信装置１００からの映像データの送信先が映像出力装置３００自身に切り換えられたことを検知し、無線送信装置１００から接続機器情報を取得する（Ｓ１３０１）。なお、制御部３０２は、無線送信装置１００からの接続機器情報の取得を、映像データの送信先の切り換えを検知する以前に実施していてもよい。
【０１２２】
ここで、接続機器情報には、無線送信装置１００にＨＤＭＩケーブル６０２及びＨＤＭＩケーブル６０１を介して接続されている機器の種別を示す情報が含まれている。例えば、無線送信装置１００は、ＨＤＭＩケーブル６０２及びＨＤＭＩケーブル６０１を介して接続されている機器のＨＤＭＩ−ＣＥＣの論理アドレスを参照することにより、機器の種別を判別し、映像出力装置３００に送信する。もしくは、無線送信装置１００は、無線送信装置１００にＨＤＭＩケーブル６０２及びＨＤＭＩケーブル６０１で接続された機器の論理アドレスを含むリストを映像出力装置３００に送信する。これにより、制御部３０２は、無線送信装置１００から接続機器情報を取得することができる。
【０１２３】
そして、制御部３０２は、無線送信装置１００から取得した接続機器情報を参照し、音声出力装置４００が接続されているか否かを判断する（Ｓ１３０２）。
【０１２４】
制御部３０２は、音声出力装置４００が接続されていると判断した場合（ステップＳ１３０２においてＹＥＳの場合）は、音声出力装置４００が音声出力モードであるか否かを判断する（Ｓ１３０３）。そして、制御部３０２は、音声出力装置４００が音声出力モードであると判断した場合（ステップＳ１３０３においてＹＥＳの場合）は処理を終了する。
【０１２５】
また、制御部３０２は、音声出力装置４００が音声非出力モードであると判断した場合（ステップＳ１３０３においてＮＯの場合）は、音声出力装置４００に対して音声出力モードに移行するように無線送信装置１００を介して指示する（Ｓ１３０４）。
【０１２６】
音声出力装置４００は、映像出力装置３００から、音声非出力モードに移行することを指示する制御データを受信した場合には、第２の有線伝送部４０３から無線送信装置１００に対して音声データを出力し、音声出力モードに移行することを指示する制御データを受信した場合には、音声出力部４０４から再生した音声を出力する。
【０１２７】
また、制御部３０２は、音声出力装置４００が接続されていないと判断した場合（ステップＳ１３０２においてＮＯの場合）は、映像音声出力装置２００に音声データを出力するように指示する音声データ出力指示を、無線送信装置１００に送信する（Ｓ１３０５）。
【０１２８】
無線送信装置１００の制御部１０２は、映像出力装置３００から音声データ出力指示を受信し（Ｓ１３０６）、映像音声出力装置２００に音声データを出力する（Ｓ１３０７）。
【０１２９】
このように、映像出力装置３００の制御部３０２は、無線接続相手機器として映像出力装置３００自身が選択された場合であって、映像出力装置３００自身が音声を出力不能であると判断した場合、無線送信装置１００から取得した、無線送信装置１００に有線を介して接続されている機器の情報をもとに、音声出力装置４００が音声を出力可能であるか否かを判断する。そして、制御部３０２は、音声出力装置４００が音声を出力可能であると判断した場合は、音声出力装置４００の音声モードを音声出力モードと決定し、音声出力装置４００に対して、音声を出力するように指示する。
【０１３０】
以上のように、無線接続相手機器が映像音声出力装置２００（例えば、ＴＶ）から映像出力装置３００（例えば、液晶プロジェクタ）に切り換えられた場合でも、すなわち、映像音声データの送信先が映像音声出力装置２００から映像出力装置３００に切り換えられた場合でも、音声の出力を、映像音声出力装置２００からスピーカシステムを備えた音声出力装置４００に自動的に切り換えることができるので、ユーザーの利便性を向上させることができる。さらに、無線映像音声伝送システムにおいて、音声出力装置４００が具備されていない（接続されていない）場合であっても、スピーカシステムを備えた映像音声出力装置２００から自動的に音声を出力させることができるので、ユーザーの利便性をさらに向上させることができる。
【０１３１】
なお、本発明の実施の形態１〜５において示したパケットフォーマット及びテーブルフォーマットは一例であり、同様の効果を示すものであれば、異なるフォーマットを用いることができる。
【０１３２】
また、本発明の実施の形態１〜５において示したシステム構成及び装置構成は一例であり、これらに限るものではない。つまり、本発明の具体的な構成は、発明の要旨を逸脱しない範囲で種々の変更および修正が可能である。また、発明の趣旨を逸脱しない範囲で、上記複数の実施の形態における各構成要素を任意に組み合わせても良い。
【０１３３】
例えば、図２〜図４において、各装置には無線伝送部が内蔵されているが、無線伝送部を内蔵せず、各装置における無線伝送部を有線伝送部に換えて、これらの有線伝送部に対し、有線を無線に変換するアダプタをそれぞれ接続した構成であってもかまわない。
【産業上の利用可能性】
【０１３４】
本発明に係る無線映像音声伝送システム並びに無線送信装置、音声出力装置及び映像出力装置は、映像音声データの送信先をＴＶなどのスピーカシステムを備えている映像音声出力装置と、液晶プロジェクタなどのスピーカシステムを備えていない映像出力装置とを切り換えて使用するような、ワイヤレスシアターシステムなどの無線映像音声伝送システム並びに無線映像音声伝送システムを構成する装置などにおいて有用である。
【符号の説明】
【０１３５】
１０、２０  無線映像音声伝送システム
１００  無線送信装置
１０１  有線伝送部
１０２  制御部
１０３  無線伝送部
２００  映像音声出力装置
２０１  無線伝送部
２０２  制御部
２０３  映像出力部
２０４  音声出力部
３００  映像出力装置
３０１  無線伝送部
３０２  制御部
３０３  映像出力部
４００  音声出力装置
４０１  第１の有線伝送部
４０２  制御部
４０３  第２の有線伝送部
４０４  音声出力部
５００  映像音声再生装置
６０１  ＨＤＭＩケーブル
６０２  ＨＤＭＩケーブル
【図１】
2010087189.tif 000003
【図２】
2010087189.tif 000004
【図３】
2010087189.tif 000005
【図４】
2010087189.tif 000006
【図５】
2010087189.tif 000007
【図６】
2010087189.tif 000008
【図７】
2010087189.tif 000009
【図８】
2010087189.tif 000010
【図９】
2010087189.tif 000011
【図１０】
2010087189.tif 000012
【図１１】
2010087189.tif 000013
【図１２】
2010087189.tif 000014
【図１３】
2010087189.tif 000015
【手続補正書】
【提出日】平成22年8月19日(2010.8.19)
【手続補正１】
【補正対象書類名】明細書
【補正対象項目名】全文
【補正方法】変更
【補正の内容】
【発明の詳細な説明】
【技術分野】
【０００１】
本発明は、無線信号を用いて映像音声データを送信して再生する無線映像音声伝送システム、及び無線映像音声伝送システムを構成する装置に関するものである。
【背景技術】
【０００２】
近年、ユーザーの大画面での視聴やホームシアターなどの要望に伴い、一般家庭においても、液晶プロジェクタやＤＬＰプロジェクタなどのプロジェクタが映像表示装置として普及しつつあるが、このようなプロジェクタに対して映像音声データを送信する一つの手段として無線伝送が利用されている。
【０００３】
無線伝送を利用して映像音声データを伝送する無線映像音声伝送システムに関する従来技術が、特許文献１に開示されている。
【０００４】
特許文献１においては、映像および音声を再生する液晶プロジェクタとＤＶＤプレイヤーなどの再生機器とを無線伝送で接続した無線映像音声伝送システムが開示されており、具体的には、再生機器であるＤＶＤプレイヤーに無線アダプタを装着し、同様に無線アダプタを装着した液晶プロジェクタに対して、ＤＶＤプレイヤーから映像音声データを無線送信する無線伝送ホームシアターシステムが開示されている。なお、このシステムにおいては、ＤＶＤプレイヤー側に接続されたスピーカシステムから音声を出力する構成が取られている。
【先行技術文献】
【特許文献】
【０００５】
【特許文献１】特開２００５−２１０４４９号公報
【発明の概要】
【発明が解決しようとする課題】
【０００６】
しかしながら、例えば、ＤＶＤプレイヤーなどの映像音声再生機器から、スピーカシステムを備えたテレビ受像機（以下、ＴＶと称す）などの映像音声出力装置と、スピーカシステムを備えていない液晶プロジェクタなどの映像出力装置に対して映像音声データを送信し、両者を切り換えて視聴するような従来の無線映像音声伝送システムにおいては、ユーザーの利便性が悪くなる場合があるという課題を有していた。
【０００７】
つまり、従来の無線映像音声伝送システムにおいては、映像音声再生機器から映像音声データをＴＶに対して送信し、ＴＶから映像音声を出力している状態において、映像音声データの送信先をＴＶから液晶プロジェクタに切り換えた場合、液晶プロジェクタはスピーカシステムを備えていないために音声が出力されず、ユーザーは、別途備えられたスピーカシステムから音声を出力できるように、手動でアンプスピーカシステムの設定を変更しなければならない。これにより、従来の無線映像音声伝送システムにおいては、ユーザーの利便性が悪くなる場合があるという課題を有していた。
【０００８】
本発明は、このような課題に鑑みてなされたものであり、映像音声データの送信先をＴＶなどの映像音声出力装置から液晶プロジェクタなどの映像出力装置に切り換えたような場合でも、ユーザーの利便性を向上させることができる無線映像音声伝送システム、無線送信装置、音声出力装置及び映像出力装置を提供することを目的とする。
【課題を解決するための手段】
【０００９】
上記目的を達成するために、本発明の一態様に係る無線映像音声伝送システムは、映像及び音声を出力する無線映像音声伝送システムであって、映像音声データを再生し出力する映像音声再生装置と、前記映像音声再生装置から前記映像音声データを受信し、前記映像音声データもしくは映像データを出力するとともに、音声モードが音声出力モードであるか音声非出力モードであるかに応じて音声を出力または非出力とする音声出力装置と、前記音声出力装置または前記映像音声再生装置から前記映像音声データもしくは前記映像データを受信し、前記映像音声データ、前記映像データもしくは音声データを含む無線信号を送信する無線送信装置と、前記無線送信装置から無線接続により前記無線信号を受信し、前記無線信号に含まれる映像音声データ、映像データもしくは音声データを、それぞれ映像及び音声、映像もしくは音声として出力する映像音声出力装置と、前記無線送信装置から無線接続により前記無線信号を受信し、前記無線信号に含まれる映像データを映像として出力する映像出力装置とを備え、前記映像出力装置、前記無線送信装置及び前記音声出力装置のうちのいずれかの装置が、前記無線送信装置から前記無線信号を受信し映像を出力するように選択された前記映像音声出力装置もしくは前記映像出力装置である接続相手装置が音声を出力可能であるか否かを判断することにより、前記音声出力装置の音声モードを決定する。
【００１０】
これによれば、映像出力装置、無線送信装置及び音声出力装置のうちのいずれかの装置が、接続相手装置が音声を出力可能であるか否かを判断することにより、音声出力装置の音声モードを決定する。これにより、接続相手装置が音声を出力可能であるか否かによって、音声を出力させる装置を決定することができる。つまり、映像音声データの送信先をＴＶなどの映像音声出力装置から液晶プロジェクタなどの映像出力装置に切り換えたような場合でも、音声出力の切り換え制御を自動的に行うことができるので、ユーザーの利便性を向上させることができる。
【００１１】
また、好ましくは、前記無線送信装置は、無線接続された前記接続相手装置から取得した無線接続相手機器情報を基に、前記接続相手装置が音声を出力可能であるか否かを判断し、前記接続相手装置が音声を出力可能であると判断した場合には、前記音声モードを前回と同じ音声モードと決定し、前記接続相手装置が音声を出力不能であると判断した場合には、前記音声モードを音声出力モードと決定する。
【００１２】
これによれば、無線送信装置が、無線接続相手機器情報を基に、接続相手装置が音声を出力可能であるか否かを判断し、接続相手装置が音声を出力不能であると判断した場合には、音声モードを音声出力モードと決定する。このため、無線送信装置が、接続相手装置が音声を出力不能の場合に、音声出力装置から音声を出力させることができる。つまり、映像音声データの送信先をＴＶなどの映像音声出力装置から液晶プロジェクタなどの映像出力装置に切り換えたような場合でも、音声出力の切り換え制御を自動的に行うことができるので、ユーザーの利便性を向上させることができる。
【００１３】
また、前記無線送信装置は、さらに、前記音声出力装置が音声を出力可能であるか否かを判断し、前記音声出力装置が音声を出力不能であると判断した場合で、かつ、前記接続相手装置が音声を出力不能であると判断した場合には、前記映像音声出力装置が音声を出力するように、前記映像音声出力装置に対して、音声データもしくは映像音声データを無線送信することにしてもい。
【００１４】
これによれば、無線送信装置が、音声出力装置が音声を出力可能であるか否かを判断することで、映像音声出力装置に音声を出力させる。このため、音声出力装置が音声を出力可能であるか否かによって、無線送信装置が、音声出力装置に音声を出力させるか、映像音声出力装置に音声を出力させるかを決定することができる。つまり、映像音声データの送信先をＴＶなどの映像音声出力装置から液晶プロジェクタなどの映像出力装置に切り換えたような場合でも、音声出力の切り換え制御を自動的に行うことができるので、ユーザーの利便性を向上させることができる。
【００１５】
また、前記無線送信装置は、さらに、前記接続相手装置の前記無線接続相手機器情報に含まれる装置識別子と、前記音声出力装置から出力される音声の出力条件を設定するための情報である音声設定情報とを関連付けて記憶しており、前記接続相手装置が異なる接続相手装置に変更された場合に、前記音声出力装置に対して、変更された前記接続相手装置に関連付けられた前記音声設定情報を送信し、前記音声出力装置は、受信した前記音声設定情報に従って、出力する音声の出力条件を設定することにしてもよい。また、好ましくは、前記音声設定情報は、音量を制御するための音量制御情報または音場を制御するための音場制御情報である。
【００１６】
これによれば、接続相手装置が変更された場合に、音声出力装置から出力される音声の出力条件を設定することができる。つまり、接続相手装置の設置場所が音声出力装置の設置場所と異なる場合でも、接続相手装置が設置されている場所で視聴するのに適した音量や音場などに自動的に設定することができるので、ユーザーの利便性を向上させることができる。
【００１７】
また、前記音声出力装置は、前記無線送信装置を経由して無線接続された前記接続相手装置から取得した無線接続相手機器情報を基に、前記接続相手装置が音声を出力可能であるか否かを判断し、前記接続相手装置が音声を出力可能であると判断した場合には、前記音声モードを前回と同じ音声モードと決定し、前記接続相手装置が音声を出力不能であると判断した場合には、前記音声モードを音声出力モードと決定することにしてもよい。
【００１８】
これによれば、音声出力装置が、接続相手装置が音声を出力可能であるか否かを判断することで、音声出力装置の音声モードを決定する。つまり、音声出力装置が、接続相手装置が音声を出力不能の場合に、音声出力装置から音声を出力させることができる。このため、映像音声データの送信先をＴＶなどの映像音声出力装置から液晶プロジェクタなどの映像出力装置に切り換えたような場合でも、音声出力の切り換え制御を自動的に行うことができるので、ユーザーの利便性を向上させることができる。
【００１９】
また、前記映像出力装置は、前記接続相手装置として前記映像出力装置自身が選択された場合であって、前記映像出力装置自身が音声を出力不能であると判断した場合、前記無線送信装置から取得した、前記無線送信装置に有線を介して接続されている機器の情報をもとに、前記音声出力装置が音声を出力可能であるか否かを判断し、前記音声出力装置が音声を出力可能であると判断した場合は、前記音声出力装置の音声モードを音声出力モードと決定し、前記音声出力装置に対して、音声を出力するように指示することにしてもよい。
【００２０】
これによれば、映像出力装置が、接続相手装置である自身が音声を出力不能であるか否か、及び音声出力装置が音声を出力可能であるか否かを判断することで、音声出力装置の音声モードを決定する。つまり、映像出力装置が、接続相手装置である自身が音声を出力不能の場合に、音声出力装置から音声を出力させることができる。また、音声出力装置が音声を出力可能であるか否かによって、映像出力装置が、音声出力装置に音声を出力させるか、映像音声出力装置に音声を出力させるかを決定することができる。このため、映像音声データの送信先をＴＶなどの映像音声出力装置から液晶プロジェクタなどの映像出力装置に切り換えたような場合でも、音声出力の切り換え制御を自動的に行うことができるので、ユーザーの利便性を向上させることができる。
【００２１】
なお、本発明は、このような無線映像音声伝送システムとして実現することができるだけでなく、無線映像音声伝送システムが備える無線送信装置、音声出力装置及び映像出力装置としても実現することができる。また、本発明は、無線送信装置、音声出力装置及び映像出力装置が備える各処理部の処理をコンピュータに実行させるプログラムとして実現したり、各処理部の処理を行う集積回路として実現したりすることもできる。そして、そのようなプログラムは、ＣＤ−ＲＯＭ等の記録媒体やインターネット等の伝送媒体を介して配信することができるのは言うまでもない。
【発明の効果】
【００２２】
本発明によれば、映像音声再生装置から出力された映像音声データの送信先である無線接続相手機器が変更された場合においても、音声出力の切り換え制御を自動的に行うことができるので、ユーザーの利便性を高めることができる。
【図面の簡単な説明】
【００２３】
【図１】図１は、本発明の実施の形態１に係る無線映像音声伝送システムの構成の一例を示すブロック図である。
【図２】図２は、本発明の実施の形態１に係る無線送信装置の構成を示すブロック図である。
【図３】図３は、本発明の実施の形態１に係る映像音声出力装置の構成を示すブロック図である。
【図４】図４は、本発明の実施の形態１に係る映像出力装置の構成を示すブロック図である。
【図５】図５は、本発明の実施の形態１に係る音声出力装置の構成を示すブロック図である。
【図６】図６は、本発明の実施の形態１に係る無線映像音声伝送システムにおける無線接続相手機器が映像音声出力装置で、かつ、音声出力モードである場合のデータの流れを示すブロック図である。
【図７】図７は、本発明の実施の形態１に係る無線映像音声伝送システムにおける無線接続相手機器が映像出力装置である場合のデータの流れを示すブロック図である。
【図８】図８は、本発明の実施の形態１に係る無線送信装置における制御部の処理の流れを示すフローチャートである。
【図９】図９は、本発明の実施の形態２に係る無線映像音声伝送システムの構成の一例を示すブロック図である。
【図１０】図１０は、本発明の実施の形態２に係る無線送信装置の制御部における処理の流れを示すフローチャートである。
【図１１】図１１は、本発明の実施の形態３に係る音声出力装置の制御部における処理の流れを示すフローチャートである。
【図１２】図１２は、本発明の実施の形態４に係る無線送信装置の制御部及び音声出力装置の制御部における処理の流れを示すフローチャートである。
【図１３】図１３は、本発明の実施の形態５に係る無線送信装置の制御部及び映像出力装置の制御部における処理の流れを示すフローチャートである。
【発明を実施するための形態】
【００２４】
以下に、本発明を実施するための形態について、図面を参照しながら説明する。
【００２５】
（実施の形態１）
図１を用いて、本発明の実施の形態１に係る無線映像音声伝送システム１０について説明する。なお、図１は、本発明の実施の形態１に係る無線映像音声伝送システム１０の構成の一例を示すブロック図である。また、図１においては、無線送信装置１００からの映像音声データの無線伝送先が、映像出力装置３００ではなく、映像音声出力装置２００である場合の例を挙げている。
【００２６】
図１において、無線映像音声伝送システム１０は、無線送信装置１００と、映像音声出力装置２００と、映像出力装置３００と、音声出力装置４００と、映像音声再生装置５００と、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル６０１と、ＨＤＭＩケーブル６０２とを備えている。
【００２７】
映像音声再生装置５００は、映像音声データを再生し、映像音声データを含む有線信号を出力する装置である。
【００２８】
音声出力装置４００は、無線送信装置１００及び映像音声再生装置５００との間で有線信号を送受信し、映像音声再生装置５００から送信された有線信号に含まれる音声データを音声として出力する装置である。
【００２９】
具体的には、音声出力装置４００は、映像音声再生装置５００から映像音声データを受信し、受信した映像音声データもしくは当該映像音声データに含まれる映像データを出力する。また、音声出力装置４００は、受信した映像音声データに含まれる音声データを再生し、音声モードが音声出力モードであるか音声非出力モードであるかに応じて、再生した音声を出力または非出力とする。
【００３０】
無線送信装置１００は、有線信号と無線信号を変換して送受信する装置である。具体的には、無線送信装置１００は、音声出力装置４００または映像音声再生装置５００から映像音声データもしくは映像データを受信し、映像音声データ、映像データもしくは音声データを含む無線信号を送信する。
【００３１】
映像音声出力装置２００は、無線送信装置１００との間で無線接続により無線信号を送受信し、無線送信装置１００から受信した無線信号に含まれる映像音声データ、映像データもしくは音声データを処理して、それぞれ映像及び音声、映像もしくは音声として出力する装置である。
【００３２】
映像出力装置３００は、無線送信装置１００との間で無線接続により無線信号を送受信し、無線送信装置１００から受信した無線信号に含まれる映像データを処理して映像として出力する装置である。
【００３３】
ここで、実施の形態１では、無線送信装置１００は、無線送信装置１００から無線信号を受信し映像を出力するように選択された映像音声出力装置２００もしくは映像出力装置３００である接続相手装置が音声を出力可能であるか否かを判断することにより、音声出力装置４００の音声モードを決定する。
【００３４】
ＨＤＭＩケーブル６０１を介しては、映像音声再生装置５００から音声出力装置４００に対して映像音声データＡＶ１１が送信されるとともに、映像音声再生装置５００と音声出力装置４００との間で有線制御データＳ１１が互いに送受信される。
【００３５】
また、ＨＤＭＩケーブル６０２を介しては、音声出力装置４００から無線送信装置１００に対して映像音声データＡＶ１２が送信されるとともに、音声出力装置４００と無線送信装置１００との間で有線制御データＳ１２が互いに送受信される。
【００３６】
また、無線送信装置１００と映像音声出力装置２００との間で送受信される無線信号Ｍ１１には、無線送信装置１００から映像音声出力装置２００に送信される映像音声データＡＶ１３と、無線送信装置１００と映像音声出力装置２００との間で互いに送受信される無線制御データＣ１１が含まれる。ここで、無線送信装置１００から映像音声出力装置２００への映像音声データＡＶ１３の無線伝送は、時間分割多重もしくは周波数分割多重を用いて伝送される。
【００３７】
なお、具体的には、映像音声再生装置５００は、ＤＶＤレコーダー、ＤＶＤプレイヤー及びセットトップボックスなどの映像音声データを出力する装置である。また、映像音声出力装置２００は、ＴＶなどの映像及び音声をディスプレイやスピーカに出力する装置である。また、映像出力装置３００は、モニターやプロジェクタなどのスピーカシステムを備えない映像のみを出力する装置である。また、音声出力装置４００は、音声をスピーカシステムなどに出力する装置である。
【００３８】
次に、図２を用いて、本発明の実施の形態１に係る無線送信装置１００の構成について説明する。なお、図２は、本発明の実施の形態１に係る無線送信装置１００の構成を示すブロック図である。
【００３９】
図２において、無線送信装置１００は、ＨＤＭＩ規格で規定された信号を伝送する有線伝送部１０１と、有線伝送部１０１及び後述する無線伝送部１０３の制御を行う制御部１０２と、無線電波の送受信及び変復調などの無線伝送処理及びアクセス制御を行う無線伝送部１０３とを備えている。
【００４０】
有線伝送部１０１は、音声出力装置４００からＨＤＭＩケーブル６０２を介して映像音声データＡＶ１２を受信し、受信して処理した映像音声データＡＶ２１を無線伝送部１０３に送信する。無線伝送部１０３は、有線伝送部１０１から受信した映像音声データＡＶ２１を処理し、無線信号として映像音声出力装置２００に対して送信する。
【００４１】
制御部１０２は、有線伝送部１０１との間で、有線制御データＳ２１を用いて通信を行い、有線伝送部１０１に対して状態確認や制御を実施するとともに、無線伝送部１０３との間で無線制御データＣ２１を用いて通信を行い、無線伝送部１０３に対して状態確認や制御を実施する。
【００４２】
無線伝送部１０３は、アンテナ、高周波回路及びベースバンド処理回路などを含むが、どのような無線伝送方式を用いてもよく、例えば、ミリ波帯の電波を用いた無線伝送方式を利用してもよいし、無線周波数帯域もしくは時間を予約し、予約した無線周波数帯域もしくは時間内に映像音声データを送受信する媒体アクセス制御を行うようにしてもかまわない。しかし、ここではその詳細な説明は省略する。
【００４３】
次に、図３を用いて、本発明の実施の形態１に係る映像音声出力装置２００の構成について説明する。なお、図３は、本発明の実施の形態１に係る映像音声出力装置２００の構成を示すブロック図である。
【００４４】
図３において、映像音声出力装置２００は、無線電波の送受信及び変復調などの無線伝送処理及びアクセス制御を行う無線伝送部２０１と、無線伝送部２０１の制御を行う制御部２０２と、無線伝送部２０１から映像データを受信し処理して映像を出力する映像出力部２０３と、無線伝送部２０１から音声データを受信し処理して音声を出力する音声出力部２０４とを備えている。
【００４５】
無線伝送部２０１は、無線送信装置１００から無線伝送を利用して送信された映像音声データＡＶ１３を受信して処理し、映像音声データＡＶ１３に含まれる映像データＶ３１を映像出力部２０３に、音声データＡ３１を音声出力部２０４にそれぞれ送信する。
【００４６】
映像出力部２０３は、無線伝送部２０１から映像データＶ３１を受信し処理して映像を出力し、音声出力部２０４は、無線伝送部２０１から音声データＡ３１を受信し処理して音声を出力する。
【００４７】
制御部２０２は、無線伝送部２０１との間で無線制御データＣ３１を用いて通信を行い、無線伝送部２０１に対して状態確認や制御を実施する。
【００４８】
無線伝送部２０１は、アンテナ、高周波回路及びベースバンド処理回路などを含むが、どのような無線伝送方式を用いてもよく、例えば、ミリ波帯の電波を用いた無線伝送方式を利用してもよいし、無線周波数帯域もしくは時間を予約し、予約した無線周波数帯域もしくは時間内に映像音声データを送受信する媒体アクセス制御を行うようにしてもかまわない。しかし、ここではその詳細な説明は省略する。
【００４９】
次に、図４を用いて、本発明の実施の形態１に係る映像出力装置３００の構成について説明する。なお、図４は、本発明の実施の形態１に係る映像出力装置３００の構成を示すブロック図である。
【００５０】
図４において、映像出力装置３００は、無線電波の送受信及び変復調などの無線伝送処理及びアクセス制御を行う無線伝送部３０１と、無線伝送部３０１の制御を行う制御部３０２と、無線伝送部３０１から映像データＶ４１を受信し処理して映像を出力する映像出力部３０３とを備えている。
【００５１】
無線伝送部３０１は、無線送信装置１００から無線伝送を利用して送信された映像音声データＡＶ１３を受信して処理し、映像音声データＡＶ１３に含まれる映像データＶ４１を映像出力部３０３に送信する。映像出力部３０３は、無線伝送部３０１から映像データＶ４１を受信し処理して映像を出力する。制御部３０２は、無線伝送部３０１との間で無線制御データＣ４１を用いて通信を行い、無線伝送部３０１に対して状態確認や制御を実施する。
【００５２】
無線伝送部３０１は、アンテナ、高周波回路及びベースバンド処理回路などを含むが、どのような無線伝送方式を用いてもよく、例えば、ミリ波帯の電波を用いた無線伝送方式を利用してもよいし、無線周波数帯域もしくは時間を予約し、予約した無線周波数帯域もしくは時間内に映像音声データを送受信する媒体アクセス制御を行うようにしてもかまわない。しかし、ここではその詳細な説明は省略する。
【００５３】
次に、図５を用いて、本発明の実施の形態１に係る音声出力装置４００の構成について説明する。なお、図５は、本発明の実施の形態１に係る音声出力装置４００の構成を示すブロック図である。
【００５４】
図５において、音声出力装置４００は、ＨＤＭＩ規格で規定された信号を伝送する第１の有線伝送部４０１及び第２の有線伝送部４０３と、第１の有線伝送部４０１及び第２の有線伝送部４０３の制御を行う制御部４０２と、第１の有線伝送部４０１から音声データＡ５１を受信し処理して音声を出力する音声出力部４０４を備えている。
【００５５】
第１の有線伝送部４０１は、ＨＤＭＩケーブル６０１を介して映像音声再生装置５００から送信された映像音声データＡＶ１１を受信し処理して、映像音声データＡＶ５１を第２の有線伝送部４０３に、音声データＡ５１を音声出力部４０４に、それぞれＨＤＭＩ規格で規定された信号として送信する。
【００５６】
第２の有線伝送部４０３は、第１の有線伝送部４０１から映像音声データＡＶ５１を受信して処理し、ＨＤＭＩケーブル６０２を介して無線送信装置１００に対して、映像音声データＡＶ１２をＨＤＭＩ規格で規定された信号として送信する。音声出力部４０４は、第１の有線伝送部４０１から音声データＡ５１を受信して処理し、音声を出力する。
【００５７】
制御部４０２は、第１の有線伝送部４０１との間で第１の有線制御データＳ５１を用いて通信を行い、第１の有線伝送部４０１に対して状態確認や制御を実施する。また、制御部４０２は、第２の有線伝送部４０３との間で第２の有線制御データＳ５２を用いて通信を行い、第２の有線伝送部４０３に対して状態確認や制御を実施する。また、制御部４０２は、音声出力部４０４との間で音声制御データＲ５１を用いて通信を行い、音声出力部４０４に対して状態確認や音量制御、音場制御及びミュートなどの制御を実施する。
【００５８】
次に、図１〜図８、特に図６〜図８を参照しながら、本発明の実施の形態１に係る無線映像音声伝送システム１０における処理の流れについて説明する。
【００５９】
なお、図６は、本発明の実施の形態１に係る無線映像音声伝送システム１０における無線接続相手機器が映像音声出力装置２００で、かつ、音声出力モードである場合のデータの流れを示すブロック図である。また、図７は、本発明の実施の形態１に係る無線映像音声伝送システム１０における無線接続相手機器が映像出力装置３００である場合のデータの流れを示すブロック図である。また、図８は、本発明の実施の形態１に係る無線送信装置１００における制御部１０２の処理の流れを示すフローチャートである。
【００６０】
図８において、まず、図６に示す映像音声出力装置２００から無線制御データＣ６１として、または、図７に示す映像出力装置３００から無線制御データＣ７１として、無線接続相手機器情報が無線伝送部１０３を介して制御部１０２に入力される（Ｓ８０１）。
【００６１】
ここで、無線接続相手機器は、無線送信装置１００から無線信号を受信し映像を出力するように選択された映像音声出力装置２００もしくは映像出力装置３００である。また、無線接続相手機器情報とは、無線接続相手機器に関する情報である。具体的には、無線接続相手機器情報には、無線接続相手機器の機器種別、映像出力部の有無及び音声出力部の有無などの情報が含まれる。なお、無線接続相手機器は、請求の範囲に記載の「接続相手装置」に相当する。
【００６２】
続いて、制御部１０２は、入力された無線接続相手機器情報を参照し、無線接続相手機器が音声出力部を具備しているか否かを判断する（Ｓ８０２）。判断する方法としては、例えば、無線接続相手機器情報における機器種別がＡＶアンプなどのように音声出力が可能な機器である場合は、制御部１０２は、無線接続相手機器が音声出力部を具備していると判断する。または、制御部１０２は、無線接続相手機器情報における音声出力部の有無を示す情報を参照して判断する。
【００６３】
制御部１０２は、ステップＳ８０２において、無線接続相手機器が音声出力部を具備していると判断した場合（ステップＳ８０２においてＹＥＳの場合）は、音声出力装置４００の現在の音声モードが前回の音声モード（今回の無線接続相手機器に切り換えられる前の音声モード）と同じであるか否かを判断する（Ｓ８０３）。
【００６４】
なお、音声モードには、音声出力モードと音声非出力モードの２つのモードがある。そして、音声出力モードにおいては、音声は音声出力装置４００の音声出力部４０４から出力される。また、音声非出力モードにおいては、音声は音声出力装置４００の音声出力部４０４からは出力されず、第２の有線伝送部４０３から映像データとともに映像音声データとして音声データが出力される。
【００６５】
制御部１０２は、ステップＳ８０３において、音声出力装置４００の現在の音声モードが前回の音声モードと同じであると判断した場合（ステップＳ８０３においてＹＥＳの場合）、処理を終了する。
【００６６】
一方、制御部１０２は、ステップＳ８０３において、音声出力装置４００の現在の音声モードが前回の音声モードと異なると判断した場合（ステップＳ８０３においてＮＯの場合）、有線伝送部１０１から音声出力装置４００に対して、前回の音声モードと同じ音声モードに移行することを指示するための制御データを送信する（Ｓ８０４）。
【００６７】
また、制御部１０２は、ステップＳ８０２において、無線接続相手機器が音声出力部を具備していないと判断した場合（ステップＳ８０２においてＮＯの場合）は、音声出力装置４００の現在の音声モードが音声出力モードであるか否かを判断する（Ｓ８０５）。
【００６８】
ステップＳ８０５において、音声出力装置４００の現在の音声モードが音声出力モードであると判断された場合（ステップＳ８０５においてＹＥＳの場合）、制御部１０２は処理を終了する。また、音声出力装置４００の現在の音声モードが音声出力モードでないと判断された場合（ステップＳ８０５においてＮＯの場合）、制御部１０２は、有線伝送部１０１から音声出力装置４００に対して、音声出力モードに移行することを指示するための制御データを送信し（Ｓ８０６）、処理を終了させる。
【００６９】
音声出力装置４００は、無線送信装置１００から、音声非出力モードに移行することを指示する制御データを受信した場合には、第２の有線伝送部４０３から無線送信装置１００に対して、映像データとともに映像音声データＡＶ５１として音声データを送信する。また、音声出力装置４００は、無線送信装置１００から、音声出力モードに移行することを指示する制御データを受信した場合には、音声データを再生し、再生した音声を音声出力部４０４から出力する。
【００７０】
以上のように、制御部１０２は、無線接続された無線接続相手機器から取得した無線接続相手機器情報を基に、無線接続相手機器が音声を出力可能であるか否かを判断し、無線接続相手機器が音声を出力可能であると判断した場合には、音声モードを前回と同じ音声モードと決定するとともに、無線伝送部１０３から無線接続相手機器に対して映像音声データを送信する。また、制御部１０２は、無線接続相手機器が音声を出力不能であると判断した場合には、音声モードを音声出力モードと決定するとともに、無線伝送部１０３から無線接続相手機器に対して映像データもしくは映像音声データを送信する。
【００７１】
上述したように、図１においては、無線接続相手機器が映像音声出力装置２００で、かつ、音声出力装置４００が音声非出力モードである場合の映像音声データＡＶ１１、映像音声データＡＶ１２及び映像音声データＡＶ１３の流れを示している。この場合、音声は、音声出力装置４００の音声出力部４０４からは出力されず、無線接続相手機器である映像音声出力装置２００から出力される。
【００７２】
また、図６においては、無線接続相手機器が映像音声出力装置２００で、かつ、音声出力装置４００が音声出力モードである場合の映像音声データＡＶ１１、映像データＶ６１及び映像データＶ６２の流れを示している。この場合、音声は、無線接続相手機器である映像音声出力装置２００から出力されず、音声出力装置４００の音声出力部４０４から出力される。
【００７３】
また、図７においては、無線接続相手機器が映像出力装置３００である場合の映像音声データＡＶ１１、映像データＶ７１及び映像データＶ７２の流れを示している。この場合は、自動的に音声出力モードに移行し、音声は音声出力装置４００の音声出力部４０４から出力される。
【００７４】
以上のように、無線接続相手機器が映像音声出力装置２００（例えば、ＴＶ）から映像出力装置３００（例えば、液晶プロジェクタ）に切り換えられた場合でも、すなわち、映像音声データの送信先が映像音声出力装置２００から映像出力装置３００に切り換えられた場合でも、音声の出力を、映像音声出力装置２００からスピーカシステムを備えた音声出力装置４００に自動的に切り換えることができるので、ユーザーの利便性を向上させることができる。
【００７５】
（実施の形態２）
図９を用いて、本発明の実施の形態２に係る無線映像音声伝送システム２０について説明する。なお、図９は、本発明の実施の形態２に係る無線映像音声伝送システム２０の構成の一例を示すブロック図である。また、本発明の実施の形態２は、無線送信装置１００が、音声出力装置４００が接続されているか（図１に示すように無線映像音声伝送システムの中に存在しているか）否かを判断する機能を備えている場合の実施の形態を示すものである。
【００７６】
図９において、無線映像音声伝送システム２０は、無線送信装置１００と、映像音声出力装置２００と、映像出力装置３００と、映像音声再生装置５００と、ＨＤＭＩケーブル６０１とを備えている。つまり、本実施の形態２に係る無線映像音声伝送システム２０は、実施の形態１に係る無線映像音声伝送システム１０から音声出力装置４００とＨＤＭＩケーブル６０２とを除いたシステムである。なお、図１に示す本発明の実施の形態１に係る無線映像音声伝送システム１０における構成要素と同様の構成要素については、同じ符号を付して詳細な説明は省略する。
【００７７】
ここで、映像音声再生装置５００は、例えば、ＤＶＤレコーダー、ＤＶＤプレイヤー及びセットトップボックスなどの映像音声データを出力する装置であり、映像音声出力装置２００は、例えば、ＴＶなどの映像及び音声をディスプレイ及びスピーカシステムに出力する装置であり、映像出力装置３００は、テレビモニターや液晶プロジェクタなどのスピーカシステムを備えず映像のみを出力する装置である。
【００７８】
ＨＤＭＩケーブル６０１により、映像音声再生装置５００から無線送信装置１００に対して映像音声データＡＶ９１が伝送されるとともに、映像音声再生装置５００と無線送信装置１００との間で有線制御データＳ９１が相互に伝送される。
【００７９】
無線送信装置１００と映像音声出力装置２００との間で送受信される無線信号Ｍ９１は、音声データＡ９１及び無線制御データＣ９１で構成される。また、無線送信装置１００と映像出力装置３００との間で送受信される無線信号Ｍ９２は、映像データＶ９１及び無線制御データＣ９２で構成される。
【００８０】
無線送信装置１００と映像音声出力装置２００、及び無線送信装置１００と映像出力装置３００は、共に無線によって接続され、無線送信装置１００から映像音声出力装置２００への音声データＡ９１の伝送、及び無線送信装置１００から映像出力装置３００への映像データＶ９１の伝送は、共に時間分割多重もしくは周波数分割多重を用いて伝送される。
【００８１】
また、無線送信装置１００の制御部１０２は、実施の形態１に係る無線映像音声伝送システム１０での制御部１０２が有する機能に加え、無線映像音声伝送システム内に音声出力装置４００が接続されているか否かを判断する機能を備えている。
【００８２】
次に、図１０を用いて、本発明の実施の形態２に係る無線送信装置１００の制御部１０２における処理の流れについて説明する。なお、図１０は、本発明の実施の形態２に係る無線送信装置１００の制御部１０２における処理の流れを示すフローチャートである。
【００８３】
また、図９に示す無線映像音声伝送システム２０においては、無線送信装置１００と映像音声再生装置５００との間に音声出力装置４００が接続されていない場合の例を示しているが、ここでは、無線映像音声伝送システムにおいて、図１に示すように音声出力装置４００が具備されている（接続されている）場合と、図９に示すように音声出力装置４００が具備されていない（接続されていない）場合の両方における処理の流れについて説明する。
【００８４】
図１０において、まず、無線送信装置１００が映像音声出力装置２００または映像出力装置３００と無線接続されると、無線伝送部１０３から無線接続相手機器情報が制御部１０２に入力される（Ｓ１００１）。無線接続相手機器情報には、無線接続相手機器の機器種別、映像出力部の有無、音声出力部の有無などの情報が含まれている。
【００８５】
続いて、制御部１０２は、無線伝送部１０３から入力された無線接続相手機器情報を参照し、無線接続相手機器が音声出力部を具備しているか否かを判断する（Ｓ１００２）。判断の方法としては、例えば、無線接続相手機器情報における機器種別が、ＡＶアンプなどの音声出力が可能な機器である場合は、制御部１０２は、無線接続相手機器が音声出力部を具備していると判断する。または、制御部１０２は、無線接続相手機器情報における音声出力部の有無を示す情報を参照して判断する。
【００８６】
ステップＳ１００２において、無線接続相手機器が音声出力部を具備していると判断された場合（ステップＳ１００２においてＹＥＳの場合）は、制御部１０２は、音声出力装置４００の現在の音声モードが前回の音声モード（今回の無線接続相手機器に切り換えられる前の音声モード）と同じか否かを判断する（Ｓ１００３）。
【００８７】
なお、音声モードには、音声出力モードと音声非出力モードの２つのモードがある。そして、音声は、音声出力モードにおいては、音声出力装置４００の音声出力部４０４から出力される。また、音声非出力モードにおいては、音声出力装置４００の音声出力部４０４からは音声は出力されず、音声出力装置４００の第２の有線伝送部４０３から、映像データとともに映像音声データＡＶ９２（図示せず）として音声データが出力される。
【００８８】
ステップＳ１００３において、制御部１０２は、音声出力装置４００の現在の音声モードが前回の音声モードと同じであると判断された場合（ステップＳ１００３においてＹＥＳの場合）は処理を終了する。
【００８９】
また、制御部１０２は、音声出力装置４００の現在の音声モードが前回の音声モードと異なると判断された場合（ステップＳ１００３においてＮＯの場合）は、有線伝送部１０１から音声出力装置４００に対し、前回の音声モードと同じ音声モードに移行することを指示するための制御データを、ＨＤＭＩケーブル６０２を介して送信する（Ｓ１００４）。
【００９０】
なお、制御部１０２は、音声出力装置４００が接続されている（無線映像音声伝送システムの中に音声出力装置４００が存在する）か否かを判断し、接続されていないと判断した場合には、音声モードの判断（Ｓ１００３）と音声モードの移行指示（Ｓ１００４）とを行わないようにしてもよい。
【００９１】
また、ステップＳ１００２において、無線接続相手機器が音声出力部を具備していないと判断された場合（ステップＳ１００２においてＮＯの場合）は、制御部１０２は、音声出力装置４００が接続されているか（無線映像音声伝送システムの中に存在するか）否かを判断する（Ｓ１００５）。
【００９２】
ステップＳ１００５において、音声出力装置４００が接続されていないと判断された場合（ステップＳ１００５においてＮＯの場合）は、制御部１０２は、無線伝送部１０３を介して映像音声出力装置２００に対して音声データＡ９１を出力して（Ｓ１００８）処理を終了する。
【００９３】
以上のように、制御部１０２は、音声出力装置４００が音声を出力可能であるか否かを判断し、音声出力装置４００が音声を出力不能であると判断した場合で、かつ、接続相手装置が音声を出力不能であると判断した場合には、映像音声出力装置２００が音声を出力するように、映像音声出力装置２００に対して、音声データもしくは映像音声データを無線送信する。
【００９４】
また、音声出力装置４００が接続されていると判断された場合（ステップＳ１００５においてＹＥＳの場合）は、制御部１０２は、音声出力装置４００の現在の音声モードが音声出力モードであるか否かを判断する（Ｓ１００６）。
【００９５】
ステップＳ１００６において、制御部１０２は、音声出力装置４００の現在の音声モードが音声出力モードであると判断された場合（ステップＳ１００６においてＹＥＳの場合）は処理を終了させる。
【００９６】
また、制御部１０２は、現在の音声モードが音声出力モードでないと判断された場合（ステップＳ１００６においてＮＯの場合）は、有線伝送部１０１から音声出力装置４００に対して、音声出力モードに移行することを指示するための制御データを、ＨＤＭＩケーブル６０２を介して送信する。
【００９７】
音声出力装置４００は、無線送信装置１００から、音声非出力モードに移行することを指示する制御データを受信した場合には、第２の有線伝送部４０３から無線送信装置１００に対して音声データを出力する。また、音声出力装置４００は、無線送信装置１００から、音声出力モードに移行することを指示する制御データを受信した場合には、音声出力部４０４から再生した音声を出力する。
【００９８】
図９においては、無線接続相手機器が映像出力装置３００であり、音声出力装置４００が接続されていない場合の映像音声データＡＶ９１、映像データＶ９１及び音声データＡ９１の流れを示している。この場合は、映像音声出力装置２００の音声出力部２０４から音声が出力される。
【００９９】
なお、無線信号Ｍ９１は、音声データＡ９１及び無線制御データＣ９１で構成されるとしたが、映像音声データＡＶ９１（図示せず）及び無線制御データＣ９１で構成されてもよい。また、無線信号Ｍ９２は、映像データＶ９１及び無線制御データＣ９２で構成されるとしたが、映像音声データＡＶ９１及び無線制御データＣ９２で構成されてもよい。
【０１００】
以上のように、無線接続相手機器が映像音声出力装置２００（例えば、ＴＶ）から映像出力装置３００（例えば、液晶プロジェクタ）に切り換えられた場合でも、すなわち、映像音声データの送信先が映像音声出力装置２００から映像出力装置３００に切り換えた場合でも、音声の出力を、映像音声出力装置２００からスピーカシステムを備えた音声出力装置４００に自動的に切り換えることができるので、ユーザーの利便性を向上させることができる。さらに、無線映像音声伝送システムにおいて、音声出力装置４００が具備されていない（接続されていない）場合であっても、スピーカシステムを備えた映像音声出力装置２００から自動的に音声を出力させることができるので、ユーザーの利便性をさらに向上させることができる。
【０１０１】
（実施の形態３）
図１１を用いて、本発明の実施の形態３に係る音声出力装置４００の制御部４０２における処理の流れについて説明する。なお、図１１は、本発明の実施の形態３に係る音声出力装置４００の制御部４０２における処理の流れを示すフローチャートである。また、本発明の実施の形態３に係る無線映像音声伝送システムの構成は、図１に示す無線映像音声伝送システム１０の構成と同様であり、各構成要素の符号は、図１と同一の符号を付すものとする。
【０１０２】
本発明の実施の形態３に係る音声出力装置４００における制御部４０２は、本発明の実施の形態１に係る無線送信装置１００にける制御部１０２に代わって、無線映像音声伝送システムにおける本発明の制御に関する主たる機能を備える場合の実施の形態を示すものである。
【０１０３】
図１１において、まず、無線送信装置１００と、映像音声出力装置２００または映像出力装置３００とが無線接続されると、無線送信装置１００から第２の有線伝送部４０３を経由して、映像音声出力装置２００または映像出力装置３００から送信された無線接続相手機器情報が制御部４０２に入力される（Ｓ１１０１）。なお、無線接続相手機器情報には、無線接続相手機器のＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報や機器種別、映像出力部の有無、及び音声出力部の有無などの情報が含まれる。
【０１０４】
そして、制御部４０２は、無線送信装置１００から第２の有線伝送部４０３を経由して入力された無線接続相手機器情報を参照し、無線接続相手機器が音声出力部を具備しているか否かを判断する（Ｓ１１０２）。ここで、制御部４０２は、ＥＤＩＤ情報を受信した場合は、ＥＤＩＤ情報に含まれるサポート音声フォーマットがなければ、音声出力部を具備していないものと判断し、サポート音声フォーマットがあれば、音声出力部を具備しているものと判断する。
【０１０５】
ステップＳ１１０２において、無線接続相手機器が音声出力部を具備していると判断された場合（ステップＳ１１０２においてＹＥＳの場合）は、制御部４０２は、音声出力装置４００の現在の音声モードが前回の音声モード（今回の無線接続相手機器に切り換えられる前の音声モード）と同じか否かを判断する（Ｓ１１０３）。
【０１０６】
なお、音声モードには、音声出力モードと音声非出力モードの２つのモードがある。そして、音声出力モードにおいては、音声出力装置４００の音声出力部４０４から再生した音声が出力される。また、音声非出力モードにおいては、音声出力装置４００の音声出力部４０４からは音声は出力されず、第２の有線伝送部４０３から無線送信装置１００に対して、映像データとともに映像音声データＡＶ１２として音声データが出力される。
【０１０７】
制御部４０２は、ステップＳ１１０３において、音声出力装置４００の現在の音声モードが前回の音声モードと同じであると判断された場合（ステップＳ１１０３においてＹＥＳの場合）は処理を終了させる。
【０１０８】
制御部４０２は、音声出力装置４００の現在の音声モードが前回の音声モードと異なると判断された場合（ステップＳ１１０３においてＮＯの場合）は、前回の音声モードと同じ音声モードに移行させる（Ｓ１１０４）。
【０１０９】
また、制御部４０２は、ステップＳ１１０２において、無線接続相手機器が音声出力部を具備していないと判断した場合（ステップＳ１１０２においてＮＯの場合）は、音声出力装置４００の現在の音声モードが音声出力モードであるか否かを判断する（Ｓ１１０５）。
【０１１０】
制御部４０２は、ステップＳ１１０５において、音声出力装置４００の現在の音声モードが音声出力モードであると判断された場合（ステップＳ１１０５においてＹＥＳの場合）は処理を終了させる。
【０１１１】
制御部４０２は、音声出力装置４００の現在の音声モードが音声出力モードでないと判断された場合（ステップＳ１１０５においてＮＯの場合）は、音声出力モードに移行させ（Ｓ１１０６）、処理を終了させる。
【０１１２】
このように、音声出力装置４００の制御部４０２は、無線送信装置１００を経由して無線接続された無線接続相手機器から取得した無線接続相手機器情報を基に、無線接続相手機器が音声を出力可能であるか否かを判断し、無線接続相手機器が音声を出力可能であると判断した場合には、音声モードを前回と同じ音声モードと決定し、無線接続相手機器が音声を出力不能であると判断した場合には、音声モードを音声出力モードと決定する。
【０１１３】
以上のように、無線接続相手機器が映像音声出力装置２００（例えば、ＴＶ）から映像出力装置３００（例えば、液晶プロジェクタ）に切り換えられた場合でも、すなわち、映像音声データの送信先が映像音声出力装置２００から映像出力装置３００に切り換えられた場合でも、音声の出力を、映像音声出力装置２００からスピーカシステムを備えた音声出力装置４００に自動的に切り換えることができるので、ユーザーの利便性を向上させることができる。
【０１１４】
（実施の形態４）
図１２を用いて、本発明の実施の形態４に係る無線送信装置１００の制御部１０２、及び音声出力装置４００の制御部４０２における処理の流れについて説明する。なお、図１２は、本発明の実施の形態４に係る無線送信装置１００の制御部１０２及び音声出力装置４００の制御部４０２における処理の流れを示すフローチャートである。また、本発明の実施の形態４に係る無線映像音声伝送システムの構成は、図１に示す無線映像音声伝送システム１０の構成と同様であり、各構成要素の符号は、図１と同一の符号を付すものとする。
【０１１５】
まず、制御部１０２は、無線接続相手機器の変更を決定し（Ｓ１２０１）、変更先の無線接続相手機器の識別子に関連付けられた音声設定情報を、音声出力装置４００に対して、有線伝送部１０１からＨＤＭＩケーブル６０２を介して送信する（Ｓ１２０２）。なお、無線接続相手機器の識別子は、無線接続相手機器情報に含まれる。また、音声設定情報とは、音声出力部４０４から出力される音声の出力条件を設定するための情報である。
【０１１６】
音声出力装置４００の制御部４０２は、無線送信装置１００から送信された音声設定情報を、第２の有線伝送部４０３を介して受信する（Ｓ１２０３）。その後、制御部４０２は、無線送信装置１００から受信した音声設定情報に従い、音声制御データＲ５１を用いて、音声出力部４０４から出力する音声の出力条件を設定して（Ｓ１２０４）処理を終了させる。
【０１１７】
以上のように、無線送信装置１００の制御部１０２は、無線接続相手機器の無線接続相手機器情報に含まれる機器の識別子と、音声出力装置４００から出力される音声の出力条件を設定するための情報である音声設定情報とを関連付けて記憶しており、無線接続相手機器が異なる無線接続相手機器に変更された場合に、音声出力装置４００に対して、変更された無線接続相手機器に関連付けられた音声設定情報を送信する。そして、音声出力装置４００の制御部４０２は、受信した音声設定情報に従って、出力する音声の出力条件を設定する。
【０１１８】
音声の出力条件の設定については、例えば、無線接続相手機器の設置場所が音声出力装置４００の設置場所と異なる場合、音声設定情報として音声出力装置４００の音場を制御する情報を用いて、無線接続相手機器が設置されている場所で視聴するのに適した音場に設定したり、音声設定情報として音声出力装置４００の音量を制御する情報を用いて、無線接続相手機器が設置されている場所で視聴するのに適した音量に変更する、ことなどが考えられる。
【０１１９】
また、無線接続相手機器情報に含まれる無線接続相手機器の識別子と音声設定情報の関連付けについては、無線送信装置１００が無線接続相手機器と接続して無線接続相手機器情報を取得し、ユーザーが、無線送信装置１００において音声設定情報設定部（図示せず）を用いて音声設定情報を設定したときに、制御部１０２が、無線接続相手機器の識別子と音声設定情報を関連付けてメモリ（図示せず）に記憶させる。
【０１２０】
以上のように、無線接続相手機器の識別子と音声設定情報を関連付けて記憶することにより、無線接続相手機器の設置場所が音声出力装置の設置場所と異なる場合でも、無線接続相手機器が設置されている場所で視聴するのに適した音量や音場などに自動的に設定することが可能となる。
【０１２１】
（実施の形態５）
図１３を用いて、本発明の実施の形態５に係る無線送信装置１００の制御部１０２、及び映像出力装置３００の制御部３０２における処理の流れについて説明する。なお、図１３は、本発明の実施の形態５に係る無線送信装置１００の制御部１０２及び映像出力装置３００の制御部３０２における処理の流れを示すフローチャートである。また、本発明の実施の形態５に係る無線映像音声伝送システムの構成は、図７に示す無線映像音声伝送システム１０の構成と同様であり、各構成要素の符号は、図７と同一の符号を付すものとする。
【０１２２】
まず、映像出力装置３００の制御部３０２は、無線送信装置１００からの映像データの送信先が映像出力装置３００自身に切り換えられたことを検知し、無線送信装置１００から接続機器情報を取得する（Ｓ１３０１）。なお、制御部３０２は、無線送信装置１００からの接続機器情報の取得を、映像データの送信先の切り換えを検知する以前に実施していてもよい。
【０１２３】
ここで、接続機器情報には、無線送信装置１００にＨＤＭＩケーブル６０２及びＨＤＭＩケーブル６０１を介して接続されている機器の種別を示す情報が含まれている。例えば、無線送信装置１００は、ＨＤＭＩケーブル６０２及びＨＤＭＩケーブル６０１を介して接続されている機器のＨＤＭＩ−ＣＥＣの論理アドレスを参照することにより、機器の種別を判別し、映像出力装置３００に送信する。もしくは、無線送信装置１００は、無線送信装置１００にＨＤＭＩケーブル６０２及びＨＤＭＩケーブル６０１で接続された機器の論理アドレスを含むリストを映像出力装置３００に送信する。これにより、制御部３０２は、無線送信装置１００から接続機器情報を取得することができる。
【０１２４】
そして、制御部３０２は、無線送信装置１００から取得した接続機器情報を参照し、音声出力装置４００が接続されているか否かを判断する（Ｓ１３０２）。
【０１２５】
制御部３０２は、音声出力装置４００が接続されていると判断した場合（ステップＳ１３０２においてＹＥＳの場合）は、音声出力装置４００が音声出力モードであるか否かを判断する（Ｓ１３０３）。そして、制御部３０２は、音声出力装置４００が音声出力モードであると判断した場合（ステップＳ１３０３においてＹＥＳの場合）は処理を終了する。
【０１２６】
また、制御部３０２は、音声出力装置４００が音声非出力モードであると判断した場合（ステップＳ１３０３においてＮＯの場合）は、音声出力装置４００に対して音声出力モードに移行するように無線送信装置１００を介して指示する（Ｓ１３０４）。
【０１２７】
音声出力装置４００は、映像出力装置３００から、音声非出力モードに移行することを指示する制御データを受信した場合には、第２の有線伝送部４０３から無線送信装置１００に対して音声データを出力し、音声出力モードに移行することを指示する制御データを受信した場合には、音声出力部４０４から再生した音声を出力する。
【０１２８】
また、制御部３０２は、音声出力装置４００が接続されていないと判断した場合（ステップＳ１３０２においてＮＯの場合）は、映像音声出力装置２００に音声データを出力するように指示する音声データ出力指示を、無線送信装置１００に送信する（Ｓ１３０５）。
【０１２９】
無線送信装置１００の制御部１０２は、映像出力装置３００から音声データ出力指示を受信し（Ｓ１３０６）、映像音声出力装置２００に音声データを出力する（Ｓ１３０７）。
【０１３０】
このように、映像出力装置３００の制御部３０２は、無線接続相手機器として映像出力装置３００自身が選択された場合であって、映像出力装置３００自身が音声を出力不能であると判断した場合、無線送信装置１００から取得した、無線送信装置１００に有線を介して接続されている機器の情報をもとに、音声出力装置４００が音声を出力可能であるか否かを判断する。そして、制御部３０２は、音声出力装置４００が音声を出力可能であると判断した場合は、音声出力装置４００の音声モードを音声出力モードと決定し、音声出力装置４００に対して、音声を出力するように指示する。
【０１３１】
以上のように、無線接続相手機器が映像音声出力装置２００（例えば、ＴＶ）から映像出力装置３００（例えば、液晶プロジェクタ）に切り換えられた場合でも、すなわち、映像音声データの送信先が映像音声出力装置２００から映像出力装置３００に切り換えられた場合でも、音声の出力を、映像音声出力装置２００からスピーカシステムを備えた音声出力装置４００に自動的に切り換えることができるので、ユーザーの利便性を向上させることができる。さらに、無線映像音声伝送システムにおいて、音声出力装置４００が具備されていない（接続されていない）場合であっても、スピーカシステムを備えた映像音声出力装置２００から自動的に音声を出力させることができるので、ユーザーの利便性をさらに向上させることができる。
【０１３２】
なお、本発明の実施の形態１〜５において示したパケットフォーマット及びテーブルフォーマットは一例であり、同様の効果を示すものであれば、異なるフォーマットを用いることができる。
【０１３３】
また、本発明の実施の形態１〜５において示したシステム構成及び装置構成は一例であり、これらに限るものではない。つまり、本発明の具体的な構成は、発明の要旨を逸脱しない範囲で種々の変更および修正が可能である。また、発明の趣旨を逸脱しない範囲で、上記複数の実施の形態における各構成要素を任意に組み合わせても良い。
【０１３４】
例えば、図２〜図４において、各装置には無線伝送部が内蔵されているが、無線伝送部を内蔵せず、各装置における無線伝送部を有線伝送部に換えて、これらの有線伝送部に対し、有線を無線に変換するアダプタをそれぞれ接続した構成であってもかまわない。
【産業上の利用可能性】
【０１３５】
本発明に係る無線映像音声伝送システム並びに無線送信装置、音声出力装置及び映像出力装置は、映像音声データの送信先をＴＶなどのスピーカシステムを備えている映像音声出力装置と、液晶プロジェクタなどのスピーカシステムを備えていない映像出力装置とを切り換えて使用するような、ワイヤレスシアターシステムなどの無線映像音声伝送システム並びに無線映像音声伝送システムを構成する装置などにおいて有用である。
【符号の説明】
【０１３６】
１０、２０  無線映像音声伝送システム
１００  無線送信装置
１０１  有線伝送部
１０２  制御部
１０３  無線伝送部
２００  映像音声出力装置
２０１  無線伝送部
２０２  制御部
２０３  映像出力部
２０４  音声出力部
３００  映像出力装置
３０１  無線伝送部
３０２  制御部
３０３  映像出力部
４００  音声出力装置
４０１  第１の有線伝送部
４０２  制御部
４０３  第２の有線伝送部
４０４  音声出力部
５００  映像音声再生装置
６０１  ＨＤＭＩケーブル
６０２  ＨＤＭＩケーブル
【手続補正２】
【補正対象書類名】特許請求の範囲
【補正対象項目名】全文
【補正方法】変更
【補正の内容】
【特許請求の範囲】
【請求項１】
映像及び音声を出力する無線映像音声伝送システムであって、
映像音声データを再生し出力する映像音声再生装置と、
前記映像音声再生装置から前記映像音声データを受信し、前記映像音声データもしくは映像データを出力するとともに、音声モードが音声出力モードであるか音声非出力モードであるかに応じて音声を出力または非出力とする音声出力装置と、
前記音声出力装置または前記映像音声再生装置から前記映像音声データもしくは前記映像データを受信し、前記映像音声データ、前記映像データもしくは音声データを含む無線信号を送信する無線送信装置と、
前記無線送信装置から無線接続により前記無線信号を受信し、前記無線信号に含まれる映像音声データ、映像データもしくは音声データを、それぞれ映像及び音声、映像もしくは音声として出力する映像音声出力装置と、
前記無線送信装置から無線接続により前記無線信号を受信し、前記無線信号に含まれる映像データを映像として出力する映像出力装置とを備え、
前記映像出力装置、前記無線送信装置及び前記音声出力装置のうちのいずれかの装置が、前記無線送信装置から前記無線信号を受信し映像を出力するように選択された前記映像音声出力装置もしくは前記映像出力装置である接続相手装置が音声を出力可能であるか否かを判断することにより、前記音声出力装置の音声モードを決定する
無線映像音声伝送システム。
【請求項２】
前記無線送信装置は、
無線接続された前記接続相手装置から取得した無線接続相手機器情報を基に、前記接続相手装置が音声を出力可能であるか否かを判断し、
前記接続相手装置が音声を出力可能であると判断した場合には、前記音声モードを前回と同じ音声モードと決定し、
前記接続相手装置が音声を出力不能であると判断した場合には、前記音声モードを音声出力モードと決定する
請求項１記載の無線映像音声伝送システム。
【請求項３】
前記無線送信装置は、
さらに、前記音声出力装置が音声を出力可能であるか否かを判断し、
前記音声出力装置が音声を出力不能であると判断した場合で、かつ、前記接続相手装置が音声を出力不能であると判断した場合には、前記映像音声出力装置が音声を出力するように、前記映像音声出力装置に対して、音声データもしくは映像音声データを無線送信する
請求項２記載の無線映像音声伝送システム。
【請求項４】
前記無線送信装置は、さらに、前記接続相手装置の前記無線接続相手機器情報に含まれる装置識別子と、前記音声出力装置から出力される音声の出力条件を設定するための情報である音声設定情報とを関連付けて記憶しており、前記接続相手装置が異なる接続相手装置に変更された場合に、前記音声出力装置に対して、変更された前記接続相手装置に関連付けられた前記音声設定情報を送信し、
前記音声出力装置は、受信した前記音声設定情報に従って、出力する音声の出力条件を設定する
請求項２記載の無線映像音声伝送システム。
【請求項５】
前記音声設定情報は、音量を制御するための音量制御情報または音場を制御するための音場制御情報である
請求項４記載の無線映像音声伝送システム。
【請求項６】
前記音声出力装置は、
前記無線送信装置を経由して無線接続された前記接続相手装置から取得した無線接続相手機器情報を基に、前記接続相手装置が音声を出力可能であるか否かを判断し、
前記接続相手装置が音声を出力可能であると判断した場合には、前記音声モードを前回と同じ音声モードと決定し、
前記接続相手装置が音声を出力不能であると判断した場合には、前記音声モードを音声出力モードと決定する
請求項１記載の無線映像音声伝送システム。
【請求項７】
前記映像出力装置は、
前記接続相手装置として前記映像出力装置自身が選択された場合であって、前記映像出力装置自身が音声を出力不能であると判断した場合、前記無線送信装置から取得した、前記無線送信装置に有線を介して接続されている機器の情報をもとに、前記音声出力装置が音声を出力可能であるか否かを判断し、
前記音声出力装置が音声を出力可能であると判断した場合は、前記音声出力装置の音声モードを音声出力モードと決定し、前記音声出力装置に対して、音声を出力するように指示する
請求項１記載の無線映像音声伝送システム。
【請求項８】
請求項１に記載の無線映像音声伝送システムに備えられる無線送信装置であって、
前記音声出力装置または前記映像音声再生装置から前記映像音声データもしくは前記映像データを受信する有線伝送部と、
前記映像音声データ、前記映像データもしくは音声データを含む無線信号を送信する無線伝送部と、
無線接続された前記接続相手装置から前記無線伝送部を介して取得した無線接続相手機器情報を基に、前記接続相手装置が音声を出力可能であるか否かを判断し、前記接続相手装置が音声を出力可能であると判断した場合には、前記音声モードを前回と同じ音声モードと決定するとともに、前記無線伝送部から前記接続相手装置に対して前記映像音声データを送信し、前記接続相手装置が音声を出力不能であると判断した場合には、前記音声モードを音声出力モードと決定するとともに、前記無線伝送部から前記接続相手装置に対して前記映像データもしくは前記映像音声データを送信する制御部と
を備える無線送信装置。
【請求項９】
前記制御部は、
さらに、前記音声出力装置が音声を出力可能であるか否かを判断し、
前記音声出力装置が音声を出力不能であると判断した場合で、かつ、前記接続相手装置が音声を出力不能であると判断した場合には、前記映像音声出力装置が音声を出力するように、前記映像音声出力装置に対して、音声データもしくは映像音声データを無線送信する
請求項８記載の無線送信装置。
【請求項１０】
前記制御部は、
さらに、前記接続相手装置の前記無線接続相手機器情報に含まれる装置識別子と、前記音声出力装置から出力される音声の出力条件を設定するための情報である音声設定情報とを関連付けて記憶しており、
前記接続相手装置が異なる接続相手装置に変更された場合に、前記音声出力装置が変更された前記接続相手装置に関連付けられた前記音声設定情報に従って出力する音声の出力条件を設定するように、前記音声出力装置に対して、変更された前記接続相手装置に関連付けられた前記音声設定情報を送信する
請求項８記載の無線送信装置。
【請求項１１】
前記音声設定情報は、音量を制御するための音量制御情報または音場を制御するための音場制御情報である
請求項１０記載の無線送信装置。
【請求項１２】
請求項１に記載の無線映像音声伝送システムに備えられる音声出力装置であって、
前記映像音声再生装置から前記映像音声データを受信する第１の有線伝送部と、
前記第１の有線伝送部が受信した前記映像音声データもしくは該映像音声データに含まれる映像データを送信する第２の有線伝送部と、
前記第１の有線伝送部が受信した前記映像音声データに含まれる音声データを再生し、音声モードが音声出力モードであるか音声非出力モードであるかに応じて、再生した音声を出力または非出力とする音声出力部と、
前記無線送信装置を経由して無線接続された前記接続相手装置から取得した無線接続相手機器情報を基に、前記接続相手装置が音声を出力可能であるか否かを判断し、前記接続相手装置が音声を出力可能であると判断した場合には、前記音声モードを前回と同じ音声モードと決定するとともに、第２の有線伝送部を介して前記映像音声データを送信し、前記接続相手装置が音声を出力不能であると判断した場合には、前記音声モードを音声出力モードと決定するとともに、第２の有線伝送部を介して前記映像データもしくは前記映像音声データを送信する制御部と
を備える音声出力装置。
【請求項１３】
前記無線送信装置は、さらに、前記接続相手装置の前記無線接続相手機器情報に含まれる装置識別子と、前記音声出力装置から出力される音声の出力条件を設定するための情報である音声設定情報とを関連付けて記憶しており、前記接続相手装置が異なる接続相手装置に変更された場合に、前記音声出力装置に対して、変更された前記接続相手装置に関連付けられた前記音声設定情報を送信し、
前記制御部は、前記無線送信装置から受信した前記音声設定情報に従って、出力する音声の出力条件を設定する
請求項１２記載の音声出力装置。
【請求項１４】
前記音声設定情報は、音量を制御するための音量制御情報または音場を制御するための音場制御情報である
請求項１３記載の音声出力装置。
【請求項１５】
請求項１に記載の無線映像音声伝送システムに備えられる映像出力装置であって、
前記無線送信装置から無線接続により前記無線信号を受信する無線伝送部と、
前記無線伝送部が受信した前記無線信号に含まれる映像データを映像として出力する映像出力部と、
前記接続相手装置として前記映像出力装置自身が選択された場合であって、前記映像出力装置自身が音声を出力不能であると判断した場合、前記無線送信装置から取得した、前記無線送信装置に有線を介して接続されている機器の情報をもとに、前記音声出力装置が音声を出力可能であるか否かを判断し、前記音声出力装置が音声を出力可能であると判断した場合は、前記音声出力装置の音声モードを音声出力モードと決定し、前記音声出力装置に対して、音声を出力するように指示する制御部と
を備える映像出力装置。
【手続補正３】
【補正対象書類名】図面
【補正対象項目名】全図
【補正方法】変更
【補正の内容】
【図１】
2010087189.tif 000016
【図２】
2010087189.tif 000017
【図３】
2010087189.tif 000018
【図４】
2010087189.tif 000019
【図５】
2010087189.tif 000020
【図６】
2010087189.tif 000021
【図７】
2010087189.tif 000022
【図８】
2010087189.tif 000023
【図９】
2010087189.tif 000024
【図１０】
2010087189.tif 000025
【図１１】
2010087189.tif 000026
【図１２】
2010087189.tif 000027
【図１３】
2010087189.tif 000028
【国際調査報告】
2010087189.tif 000029
2010087189.tif 000030